(57)【要約】移動式通信装置用に１つ以上の通信サービスを提供するためのセルラーネットワークを選択するための方法および装置が開示される。地理的網羅エリアにおける音声通信サービスをサポートする複数のセルラーネットワークを特定するため、移動式装置が走査３０５を行う。その後、どのセルラーネットワークが移動式装置で利用可能なデータ通信サービスを行っているかをその移動式装置が特定３３５，４０５する。有利な点は、移動式装置が、データ通信サービスを利用可能にできないセルラーネットワークに対してデータ通信サービスを利用可能にするセルラーネットワークに優先度を与える、もしくはそのネットワークを選択し、そのネットワークとともに登録を行うということである。
2006505158.tif 000002
【特許請求の範囲】
【請求項１】
移動式通信装置において、移動式通信装置に対して１つ以上の通信サービスを提供する通信ネットワークを選択する方法であって、この方法が：
地理的網羅エリアにおける音声通信サービスをサポートする１つ以上の通信ネットワークを特定するため、走査を行うステップと；
地理的網羅エリアにおける移動式通信装置に対してデータ通信サービスを利用可能にするのがどの通信ネットワークであるかを判定するステップと；
データ通信サービスを利用可能にできないネットワークに対してデータ通信サービスを利用可能にするネットワークの優先度を選択する、もしくは優先度を与えるステップと；
選択された、あるいは優先度を与えられた通信ネットワークとともに登録を行うステップと
を含む方法。
【請求項２】
請求項１に記載の方法であって、データ通信サービスが、電子メール（Ｅメール）サービスと、ショートメッセージサービスと、インターネットアクセスサービスとの内の少なくとも１つを含むことを特徴とする方法。
【請求項３】
請求項１に記載の方法であって、１つ以上の通信ネットワークが１つ以上のセルラー遠隔通信ネットワークを含むことを特徴とする方法。
【請求項４】
請求項３に記載の方法であって、１つ以上のセルラー遠隔通信ネットワークの動作が移動用広域システム（ＧＳＭ）標準で調節されることを特徴とする方法。
【請求項５】
請求項３に記載の方法であって、１つ以上のセルラー遠隔通信ネットワークの動作が汎用パケット無線サービス（ＧＰＲＳ）標準で調節されることを特徴とする方法。
【請求項６】
請求項１に記載の方法であって、データ通信サービスを利用可能にするのがどの通信ネットワークであるかを判定するステップが、さらに：
通信ネットワーク上でデータ通信サービスにアクセスするよう試みるステップと；
通信ネットワーク上でデータ通信サービスにアクセスすることを認める、あるいは無効にするステップと
を含むことを特徴とする方法。
【請求項７】
請求項１に記載の方法であって、通信ネットワークの優先度を選択する、もしくは優先度を与えるステップがさらに、データ通信サービスを利用可能にできないネットワークに対してデータ通信サービスを利用可能にするネットワークに優先度を与えることで、通信ネットワークの優先リストを作成するステップを含むことを特徴とする方法。
【請求項８】
移動式通信装置であって、この装置が：
セルラー送受信機と；
セルラー送受信機に結合されたアンテナと；
セルラー送受信機に結合された１つ以上のプロセッサであって；
この１つ以上のプロセッサが、通信ネットワークを選択するよう構成され、この通信ネットワークが：
地理的網羅エリアにおける音声通信サービスをサポートする１つ以上の通信ネットワークを特定するため、走査を行うステップと；
地理的網羅エリアにおける移動式通信装置に対してデータ通信サービスを利用可能にするのがどの通信ネットワークであるかを判定するステップと；
データ通信サービスを利用可能にできないネットワークに対してデータ通信サービスを利用可能にするネットワークの優先度を選択する、もしくは優先度を与えるステップと；
選択された、あるいは優先度を与えられた通信ネットワークとともに登録を行うステップと
により通信を行うプロセッサと
を備える装置。
【請求項９】
請求項８に記載の移動式通信装置であって、データ通信サービスが、電子メール（Ｅメール）サービスと、ショートメッセージサービスと、インターネットアクセスサービスとの内の少なくとも１つを含むことを特徴とする移動式通信装置。
【請求項１０】
請求項８に記載の移動式通信装置であって、セルラー送受信機の動作が移動用広域システム（ＧＳＭ）および汎用パケット無線サービス（ＧＰＲＳ）で調節されることを特徴とする移動式通信装置。
【請求項１１】
請求項８に記載の移動式通信装置であって、１つ以上のプロセッサがさらに、データ通信サービスを利用可能にするのがどの通信ネットワークであるかを判定するよう構成され、これがさらに：
通信ネットワーク上でデータ通信サービスにアクセスするよう試みるステップと；
通信ネットワーク上でデータ通信サービスにアクセスすることを認める、あるいは無効にするステップと
を行うことで判定されることを特徴とする移動式通信装置。
【請求項１２】
請求項８に記載の移動式通信装置であって、通信ネットワークの優先度を選択する、もしくは優先度を与えるステップがさらに、データ通信サービスを利用可能にできないネットワークに対してデータ通信サービスを利用可能にするネットワークに優先度を与えることで、特定の通信ネットワークの優先リストを作成するステップを含むことを特徴とする移動式通信装置。
【請求項１３】
移動式通信装置における通信ネットワークの優先リストを作成する方法であって、この方法が：
ある地理的地域における音声通信サービスをサポートする複数の通信ネットワークを特定するため、走査を行うステップと；
移動式通信装置に対してデータ通信サービスを利用可能にする１つ以上の通信ネットワークを特定するステップと；
データ通信サービスを利用可能にできない１つ以上の通信ネットワークよりも、データ通信サービスを利用可能にするよう特定された１つ以上の通信ネットワークに対して、優先リストで高い優先度を指定するステップと
を含む方法。
【請求項１４】
請求項１３に記載の方法であって：
優先リストが複数の副リストを備え、
指定するステップがさらに、優先リストの高優先度の副リストにおいてデータ通信サービスを利用可能にするよう特定された１つ以上の通信ネットワークの識別情報を保存するステップを備えることを特徴とする方法。
【請求項１５】
請求項１３に記載の方法であって、この方法がさらに：
各通信ネットワークに対して：
通信ネットワークが禁止通信ネットワークであるかどうかを特定するステップを含むとともに；
指定するステップがさらに、通信ネットワークが禁止通信ネットワークでない場合、優先リストにおいて通信ネットワークに高優先度を指定するステップを含むことを特徴とする方法。
【請求項１６】
請求項１５に記載の方法であって、通信ネットワークが禁止通信ネットワークであるかどうかを特定するステップがさらに、通信ネットワークを禁止通信ネットワークリストのデータと比較するステップを含むことを特徴とする方法。
【請求項１７】
請求項１５に記載の方法であって、この方法がさらに：
通信ネットワークで通信不良が発生した場合、その通信ネットワークを禁止ネットワークリストに追加するステップを含む方法。
【請求項１８】
請求項１５に記載の方法であって、この方法がさらに：
通信ネットワークが優先リストにあるかどうかを特定するステップと；
通信ネットワークが禁止通信ネットワークである場合、優先リストの通信ネットワークに優先度を再指定するステップと
を含む方法。
【請求項１９】
請求項１８に記載の方法であって：
優先リストが複数の副リストを備え；
通信ネットワークに優先度を再設定するステップがさらに：
優先リストの１つの副リストから優先リストの他の副リストに通信ネットワークを移動させるステップと；
優先リストからその通信ネットワークを除去するステップと；
その通信ネットワークを優先リストの別の副リストに追加するステップと
を含むことを特徴とする方法。
【請求項２０】
請求項１３に記載の方法であって、この方法がさらに：
各通信ネットワークに対して：
通信ネットワークが望ましい通信ネットワークであるかどうかを特定するステップと；
通信ネットワークが望ましい通信ネットワークであり、データ通信サービスを利用可能にする場合、データ通信サービスを利用可能にするが、望ましい通信ネットワークでない他の通信ネットワークよりも、前記通信ネットワークに対して、優先リストにおいて高優先度を指定するステップと
を含む方法。
【請求項２１】
請求項２０に記載の方法であって、通信ネットワークが望ましい通信ネットワークであるかどうかを特定するステップが、通信ネットワークを通信ネットワークリストのデータと比較するステップを含むことを特徴とする方法。
【請求項２２】
請求項２１に記載の方法であって、通信ネットワークリストが１つ以上の副リストを備え、この副リストが：
移動式通信装置の利用者と；
移動式通信装置の製造者と；
通信ネットワークの操作者と
の内の１つ以上で規定されることを特徴とする方法。
【請求項２３】
請求項２２に記載の方法であって、望ましいリストが、利用者で規定される副リストと、製造者で規定される副リストと、通信ネットワークの操作者で規定される副リストとを含む複数の副リストを備えるとともに、この方法がさらに：
各通信ネットワークに対して：
通信ネットワークが望ましい通信ネットワークであることを判定するステップがさらに、その通信ネットワークが、通信ネットワークリストのどの副リストにリストアップされているかを判定するステップを備えるとともに；
指定するステップがさらに、通信ネットワークが、利用者により規定された副リスト上にある場合、この通信ネットワークに対して、他の通信ネットワークよりも優先リストで高優先度を指定するステップを含むことを特徴とする方法。
【請求項２４】
請求項１３に記載の方法であって、この方法がさらに：
各通信ネットワークに対して：
通信ネットワークがデータ通信サービスをサポートする場合：
通信ネットワークが既知であるかどうかを判定するステップと；
通信ネットワークが既知である場合：この既知の通信ネットワークに対して、任意の未知の通信ネットワークよりも優先リストで高優先度を指定するステップと
を含む方法。
【請求項２５】
請求項２４に記載の方法であって、さらに：
通信ネットワークが既知であるかどうかを判定するステップがさらに、通信ネットワークを通信ネットワークのリストのデータと比較するステップを含むことを特徴とする方法。
【請求項２６】
請求項２４に記載の方法であって、優先リストが複数の副リストを備え、通信ネットワークに優先度を指定するステップがさらに：
未知の通信ネットワークの副リストよりも、既知の通信ネットワークを既知の通信ネットワークの高優先度副リストにおくステップを含むことを特徴とする方法。
【請求項２７】
請求項２４に記載の方法であって、優先リストが複数の副リストを備え、この方法がさらに：
通信ネットワークが未知であり、データ通信サービスを利用可能にしない場合：
データ通信サービスを利用可能にする未知の通信ネットワークの副リスト下にある既知の音声可能通信ネットワークを含む低優先度副リストに通信ネットワークをおくことで、この通信ネットワークに対して優先リストで低優先度を指定するステップを含む方法。
【請求項２８】
請求項１３に記載の方法であって、通信ネットワークがGSM/GPRS通信ネットワークとＧＳＭ通信ネットワークとを備え、ここでＧＳＭ通信ネットワークがデータ通信サービスをサポートしないことを特徴とする方法。
【請求項２９】
請求項１３に記載の方法であって、移動式通信装置が次のグループから選択された少なくとも１つを備え、このグループが：ＧＰＲＳ性能のあるセルラー移動式ステーションと、無線有効携帯型情報端末（ＰＤＡ）と、無線インターネット装置と、電話性能のあるデータ通信装置と、携帯型Ｅメールページャと、無線モデムとで構成されることを特徴とする方法。
【請求項３０】
請求項１４に記載の方法であって、優先順位を低下させるにあたって、利用者希望公衆陸上移動ネットワークリスト（Ｕ−ＰＰＬＭＮ）、操作者希望公衆陸上移動ネットワークリスト（Ｏ−ＰＰＬＭＮ）、未知の音声／データリスト、未知の音声のみリストを含む４つの副リストを優先リストが備えることを特徴とする方法。
【請求項３１】
請求項１６に記載の方法であって、禁止通信ネットワークリストが禁止公衆陸上移動ネットワーク（ＰＬＭＮ）リストを備えることを特徴とする方法。
【請求項３２】
請求項２４に記載の方法であって、比較のために用いられる通信ネットワークリストが、利用者希望公衆陸上移動ネットワーク（Ｕ−ＰＰＬＭＮ）リストと、操作者希望公衆陸上移動ネットワーク（Ｏ−ＰＰＬＭＮ）リストとを備えることを特徴とする方法。
【請求項３３】
移動式通信装置において、通信ネットワークの優先リストを作成するための方法であって、この方法が：
ある地理的地域における音声通信サービスをサポートする１つ以上の通信ネットワークを特定するため、走査を行うステップと；
特定された各通信ネットワークに対して：
通信ネットワークが移動式通信装置の既知の通信ネットワークであるかどうかを判定するステップと；
通信ネットワークが既知の通信ネットワークである場合、その通信ネットワークに対して、未知の通信ネットワークである通信ネットワークよりも優先リストにおいて高優先度を指定するステップと
を含む方法。
【請求項３４】
請求項３３に記載の方法であって：
通信ネットワークが既知であるかどうかを判定するステップが、通信ネットワークを通信ネットワークのリストのデータと比較するステップを含むことを特徴とする方法。
【請求項３５】
請求項３３に記載の方法であって：
移動局の利用者と、通信ネットワークの操作者と、移動局の製造者とにより規定される１つ以上の副リストを含む複数の副リストを優先リストが備え；
優先リストにおいて通信ネットワークに高優先度を指定するステップが、その通信ネットワークを優先リストの高優先度副リストにおくステップを含むことを特徴とする方法。
【請求項３６】
請求項３３に記載の方法であって、この方法がさらに：
特定された各通信ネットワークに対して：
通信ネットワークがデータ通信サービスを利用可能にするかどうかを判定するステップと；
通信ネットワークが既知であり、移動式通信装置に対してデータ通信サービスを利用可能にする場合：
この既知の通信ネットワークに対して、データ通信サービスを利用可能にする未知の通信ネットワークよりも優先リストで高優先度を指定するステップと
を含む方法。
【請求項３７】
請求項３３に記載の方法であって：
優先リストが複数の副リストを備え；
データ通信サービスを利用可能にする既知の通信ネットワークに高優先度を指定するステップがさらに、そのネットワークを優先リストの高優先度副リストにおくステップを含むことを特徴とする方法。
【請求項３８】
移動式通信装置において、通信ネットワークを選択する方法であって、この方法が：
ネットワーク再走査タイマの失効を待つステップと；
ネットワーク再走査タイマの失効後に；
地理的網羅エリアにおける音声通信サービスをサポートする１つ以上の通信ネットワークを特定するため、走査を行うステップと；
地理的網羅エリアにおける移動式通信装置に対して、いずれかの通信ネットワークがデータ通信サービスを利用可能にするかを判定するステップと；
通信ネットワークが、移動式通信装置に対してデータ通信サービスを利用可能にする場合：
データ通信サービスを利用可能にしないネットワークよりも、その通信ネットワークを選択する、あるいはそれよりも高優先度を指定するステップと；
選択された、あるいは優先度を与えられた通信ネットワークとともに再登録を行うステップと；
移動式通信装置に対してデータ通信サービスを利用可能にする通信ネットワークがない場合、ネットワーク再走査タイマを再設定するステップと
を含む方法。
【請求項３９】
移動式通信装置において、通信用セルラーネットワークを選択する方法であって、この方法が：
地理的網羅エリアにおいて、１つ以上のセルラーネットワークを特定するため、走査を行うステップと；
複数通信サービスがあれば、移動式通信装置用の各セルラーネットワークにより、どの複数通信サービスが利用可能にされるかを特定するステップと；
移動式通信装置に対して、どのセルラーネットワークが、望ましい通信サービスを最大数利用可能にするかを判定するステップと；
移動式通信装置に対して、望ましい通信サービスを最大数利用可能にするかを判定するセルラーネットワークにネットワーク選択優先度を指定するステップと
を含む方法。
【請求項４０】
請求項３９に記載の方法であって、複数の通信サービスが、少なくとも１つのデータ通信サービスを含むことを特徴とする方法。
【請求項４１】
請求項３９に記載の方法であって、複数の通信サービスが、電子メール（Ｅメール）サービスと、ショートメッセージサービスと、インターネットアクセスサービスとの内の少なくとも１つを含むことを特徴とする方法。
【請求項４２】
請求項３９に記載の方法であって、セルラーネットワークによってどの通信サービスが利用可能にされるかを特定するステップが、さらに：
通信ネットワーク上で通信サービスにアクセスするよう試みるステップと；
通信ネットワーク上でデータ通信サービスにアクセスすることを認める、あるいは無効にするステップと
を含むことを特徴とする方法。
【請求項４３】
請求項３９に記載の方法であって、ネットワークに選択優先度を指定するステップがさらに：
移動式通信装置のメモリに保存される優先ネットワークリストを作成する、もしくは修正するステップを含むことを特徴とする方法。
【請求項４４】
移動式通信装置において、通信ネットワークを選択する方法であって、この方法が：
地理的網羅エリアにおいて移動式通信装置を用いた移動式通信を容易にするために利用可能な１つ以上の通信ネットワークを特定するステップと；
各通信ネットワークを用いて実際に利用可能にされた１つ以上の通信サービスを特定するステップと；
各通信ネットワークにおける通信サービス特定の利用可能性に少なくとも一部基づき、移動式通信装置に対する最良の通信サービスをもたらすのがどの通信ネットワークであるかを判定するステップと；
移動式通信装置に対して最良の通信サービスをもたらすと判定される通信ネットワークを選択する、あるいは優先度を指定するステップと；
選択された、あるいは優先度を与えられた通信ネットワークとともに登録を行うステップと
を含む方法。
【請求項４５】
請求項４４に記載の方法であって、どの通信ネットワークが、移動式通信装置に対して最良の通信サービスをもたらすかを判定するステップがさらに：
通信ネットワークが、任意の他の特定通信ネットワークよりも、移動式通信装置に対して多くの、もしくは同数の通信サービスをもつことを判定するステップを含むことを特徴とする方法。
【請求項４６】
請求項４４に記載の方法であって、どの通信ネットワークが、移動式通信装置に対して最良の通信サービスをもたらすかを判定するステップがさらに：
通信ネットワークが、任意の他の特定通信ネットワークよりも、移動式通信装置に対して多くの、もしくは同数の望ましい通信サービスをもつことを判定するステップを含むことを特徴とする方法。
【請求項４７】
請求項４４に記載の方法であって、各通信サービスに荷重値が指定されるとともに、どの通信ネットワークが、移動式通信装置に対して最良の通信サービスをもたらすかを判定するステップがさらに：
各通信ネットワークに対して、通信ネットワークにおいて利用可能にされた全通信サービスの荷重値の合計を計算するステップと；
通信ネットワークが、任意の他の特定通信ネットワークの荷重値の合計よりも大きい、もしくはそれと等しい荷重値の合計をもつことを判定するステップと
を含むことを特徴とする方法。
【請求項４８】
請求項４４に記載の方法であって、優先度を指定するステップがさらに：
移動式通信装置のメモリに保存される優先ネットワークリストを作成する、もしくは修正するステップを含むことを特徴とする方法。
【請求項４９】
請求項４４に記載の方法であって、通信サービスが、少なくとも１つのデータ通信サービスを含むことを特徴とする方法。
【請求項５０】
請求項４４に記載の方法であって、通信サービスが、複数のサービスを含み、このサービスが：音声通信サービスと；電子メールサービスと；ショートメッセージサービスと；インターネットアクセスサービスと；プライベートインターネットアクセスサービスと；無線アプリケーションプロトコル（ＷＡＰ）サービスとであることを特徴とする方法。
【発明の詳細な説明】
【技術分野】
【０００１】
本発明は、一般的には、セルラー遠隔通信ネットワーク上で作動する携帯型無線Ｅメール装置といった移動式通信装置に関する。さらに詳細には、通信ネットワーク上で通信ネットワークの異なる通信サービスの利用可能性に基づいて作動する通信ネットワークを選択する方法に関する。
【背景技術】
【０００２】
背景技術
セルラー移動局といった移動式通信装置は、無線通信ネットワーク上で、電話通話の実施および受信を行う、および／またはデータの送受信を行うことができる。これができるようになる前に、セルラー移動局は、ある地理的網羅エリア内で利用可能な複数の通信ネットワークの内の１つを用いて選択と登録を行う。選択されたネットワークを用いて登録を行った後、移動局はアイドルモードで作動し、この状態で、通話もしくはメッセージの監視を行うため、ネットワークの特定の無線通信チャネルに『キャンプオン』する。『ネットワーク選択』は、登録と作動を行う通信ネットワークの１つを選択するため、移動局によって実施される特定のプロセスである。
【０００３】
セルラー電話操作およびネットワーク選択スキームは標準仕様書で文書化されるが、この仕様書がセルラー移動局および関連システムの挙動を管理する。よく知られたセルラー標準の１つに、移動通信用広域システム（ＧＳＭ）標準がある。ＧＳＭ  ０３．２２／欧州技術標準機関（ＥＴＳＩ）ＴＸ  １００  ９３０、第３世代移動体通信規格化プロジェクト（３ＧＰＰ）からの技術仕様書（ＴＳ）２３．１２２、およびその他の関連標準仕様書にはセルラー操作およびネットワーク選択についての詳細が多数説明されている。これらの文書では、第一に、連続した電話サービスを提供するため、通信ネットワーク網羅を維持するためにさまざまな地域や国の間でローミングを行うよう移動局がどのように挙動するかを記述する。
【０００４】
こういったネットワークにおいて、ある網羅エリア内の各利用可能基地局の信号強度を最初に判定することで、移動局がネットワーク選択を実施する。その後、メモリ内に保存されている望ましいネットワークリスト内で特定基地局の探索を行う。移動局はその後、望ましいネットワークリストにリストアップされている最強の信号をもつ基地局を選択する。ＳＩＭカード上に保存された望ましい公衆陸上移動ネットワーク（ＰＰＬＭＮ）リストと一般的に呼ばれる複数の望みのネットワークリストがある。例えば、ＰＰＬＭＮリストには、ホームＰＰＬＭＮリスト、利用者制御ＰＰＬＭＮ（Ｕ−ＰＰＬＭＮ）リスト、操作者制御ＰＬＭＮ（Ｏ−ＰＰＬＭＮ）リストがある。
【０００５】
上述のネットワーク選択法は、一般的に『自動』ネットワーク選択法と呼ばれる。この自動選択法の代わりに、移動局の最終利用者に対して、移動式装置上で目視可能に表示される複数のリストアップ利用可能ネットワークから手動で選択できる機能を与えるというものもある。この従来型ネットワーク選択法は、『手動』ネットワーク選択法と呼ばれる。
【０００６】
テキスト、ファイル、メッセージ、および／または他のデータの構成や管理を行うため、携帯型情報端末（ＰＤＡ）、ラップトップコンピュータ、携帯型Ｅメール装置といった他の携帯型装置がよく知られている。しかし、無線Ｅメールやインターネットアクセスサービスといった移動式データ通信サービスが、これらの機器との接続でよく用いられるようになってきている。組み合わされた機能（例えば、音声およびデータ通信の両方）をもつような移動型装置もあり、これも徐々によく用いられるようになってきた。音声機能用ＧＳＭに従って作動することに加え、これらの移動式装置は、よく知られた汎用パケット無線サービス（ＧＰＲＳ）標準に従って動作する。ＧＰＲＳは、移動式電話網を通してデータの送受信を可能にする移動式装置に対するパケットベースの通信プロトコルである。
【０００７】
完全に意図したとおり作動するため、これらの移動式装置は、ともに登録された通信ネットワークでサポートされ利用可能にされた適当な通信サービスをもたなければならない。理想的には、世界中の全ての通信ネットワークは、移動式装置が提供できるあらゆるタイプの通信サービスをサポートし利用可能にしなければならない。しかし実際上、一部の通信ネットワークは、ある移動式装置で利用可能な特定の通信サービス（例えば、データ通信サービス）をもたない、もしくはそれを実行できない。この問題は、移動式装置が選択する可能性のある通信ネットワークが複数あることから、ある網羅エリアにおいて部分的に緩和される。
【０００８】
しかし従来型のネットワーク選択は、その意思決定プロセスにおいて他のサービス（例えば、データ通信サービス）の利用可能性について考慮しない。その結果、不適切な通信ネットワークが移動式装置で選択されることがある。例えば、他の適切な利用可能ネットワークが音声およびデータサービスの両方を提供できるにもかかわらず、受入れ可能な音声サービスを提供できるにもかかわらずデータサービスを提供できない通信ネットワークを移動式装置が選択する場合がある。こういった従来の動作は、特に最終利用者に対してデータ通信サービス（例えば、携帯型Ｅメール装置）を提供するよう第一に意図された移動式装置の場合、望ましいものではない。
【発明の開示】
【発明が解決しようとする課題】
【０００９】
したがって、結果として、従来技術における欠陥を克服する通信ネットワーク選択のための方法および装置に対するニーズがある。
【課題を解決するための手段】
【００１０】
発明の開示
本願書は、移動式通信装置用に１つ以上の通信サービスを提供するための通信ネットワークを選択するための方法および装置を説明する。地理的網羅エリアにおける音声通信サービスをサポートする複数の通信ネットワークを特定するため、移動式装置が走査を行う。移動式装置はその後、地理的網羅エリアにおける移動式通信装置に対して、どの通信ネットワークがデータ通信サービスを利用可能にするかを判定する。有利な点は、この移動式装置が、データ通信サービスを利用可能にできないネットワークに対してデータ通信サービスを利用可能にする通信ネットワークを選択登録することである。好ましくは、この移動式通信装置が、ＧＳＭ（移動用広域システム）およびＧＰＲＳ（汎用パケット無線サービス）に従って作動する。さらに好ましくは、この方法が、１つ以上の優先ネットワークリストの作成とともに実施される。この場合、自走式装置が、データ通信サービスを利用可能にできない通信ネットワークよりも、データ通信サービスを利用可能にする通信ネットワークに対して、優先ネットワークリストで高い優先度を指定する。
【００１１】
この方法は移動式通信装置にかかわるものとしてさらに一般化されるが、この装置は、地理的網羅エリア内の移動式装置を用いて移動通信を容易化するため、利用可能な複数の通信ネットワークを特定し；各ネットワークの移動式装置に対して実際に利用可能にされる１つ以上の通信サービスを特定し；各ネットワークのサービスの特定された利用可能性に少なくとも一部基づいて移動式装置に対する最良の通信サービスを提供するのがどのネットワークであるかを特定し；移動式装置に対して最良のサービスを提供すると判定されたネットワークを選定する、もしくはそれに対して優先度を指定し；選定された、もしくは優先度の与えられたネットワークとともに登録を行う。ネットワークで利用可能にされる通信サービスには、音声通信サービス、電子メール（Ｅメール）サービス、ショートメッセージサービス（ＳＭＳ）、インターネットアクセスサービス、プライベートインターネットアクセスサービス、無線アプリケーションプロトコル（ＷＡＰ）サービス、ローカルデータ補助サービス、ホームデータ補助サービス、天気予報サービスや星占いサービス、株式相場サービスといったアプリケーション特定データサービスがあるが、これらに限定されるものではない。
【発明を実施するための最良の形態】
【００１２】
発明を実施するための最良の形態
移動式通信装置によりネットワーク選択を行うための方法および装置をここで説明する。ある網羅エリアで１つを超える数の無線ネットワークが利用可能であるような状況下で、移動局に対して『最良』のサービスを提供する無線ネットワークに対して優先度を指定する、もしくはそれを選択する方法が実施される。こういった方法は、任意の通信標準に従って作動する移動式装置に対して適用可能であるが、特に、改良型ＧＰＲＳ可能移動局に適用可能である。この環境下で、この方法は、ＧＳＭのみ可能ネットワークよりもＧＰＲＳ可能ネットワークの選択に優先度をおく。
【００１３】
移動式通信装置における改良型ネットワーク選択法は、ネットワーク網羅地域を変更したことの判定を行うこと；新たな網羅地域において適切な信号強度をもつ新規通信ネットワークの有無の判定を行うこと；移動式装置で用いられるデータ通信サービスをどの新規ネットワークがサポートするか判定すること；望ましいネットワークリストおよび禁止ネットワークリストに対して新規ネットワークを比較すること；登録と作動を行う最良の通信ネットワークを選択することに関する。この選択は、（ａ）全ての通信ネットワークの信号強度を比較すること；（ｂ）新規ネットワークを望ましいリスト上のネットワークに整合させるよう試みること；（ｃ）データネットワークが禁止リスト上にないこと、もしくは通信ネットワークがどのリスト上にもないことを判定すること；（ｄ）通信ネットワークで提供されるサポートレベルを確認することに基づく。
【００１４】
移動式通信装置が、限定されたサービスのみ（例えば、音声通信サービスのみ）をサポートするネットワークを選択するよう強制される場合、通信ネットワークを選択する、もしくは優先度を与えるために追加方法が用いられる。移動式通信装置が例えば音声のみのネットワークを現在用いている場合、改良型ネットワーク再選択法が用いられるが、この方法は、（ａ）再走査タイマが設定されることを確認すること；（ｂ）再走査タイマが失効した場合、かつて利用可能にならなかった新規通信ネットワークの探索を行うこと；（ｃ）新規ネットワークが、音声のみのネットワークよりも良好な通信サービスを利用可能にできるかどうかを判定すること；（ｄ）新規ネットワークが、禁止ネットワークリスト上になく、望ましいネットワークリスト上にある、あるいはいずれのリスト上にないかのいずれであるか確認すること；（ｅ）登録のため新規ネットワークを選択することに関する。
【００１５】
ここで図１を参照すると、世界中でどのようにネットワークが接続されているかの概要が説明される。ＧＳＭおよびＧＰＲＳネットワークは、無線通信ネットワークの例として示される。ＧＳＭとして知られる音声ネットワークは古い構成要素であり、１９９２年頃から利用可能であるのに対して、ＧＰＲＳはＧＳＭと組み合わされた、もしくは置き換えられたデータ構成要素であるが、１９９９年頃になってやっと利用可能になった。これらの２つのネットワークは現在では世界中で一般化しており、音声およびデータネットワークによっては最速の展開速度をもつ。これらの音声およびデータ組合せネットワークには、また、新たな符号分割多元接続（ＣＤＭＡ）ネットワークや、現在展開中のＧＳＭ拡張版向けの高速データレート（ＥＤＧＥ）およびユニバーサル移動体通信システム（ＵＭＴＳ）などの第三世代（３Ｇ）ネットワークが含まれる。
【００１６】
図１において、世界のさまざまな場所で見られる、５つのＧＳＭのみのネットワーク１０，１４，１６，２２，２６および８つのＧＳＭ／ＧＰＲＳ組合せネットワーク２、４、８，１２，１８，２０，２４，２８が示されている。どの時点においても、ある国には１つ以上のＧＳＭおよび／またはＧＳＭ／ＧＰＲＳネットワークがある。各ネットワーク操作者は、既存ＧＭネットワークに対してＧＰＲＳ機能をいつ購入して実施するかについて経済的・実際的な決定を行わなければならない。したがって、ＧＳＭ電話もしくはＧＰＲＳ可能移動局の利用者は、ある国に入ると、ＧＳＭのみ、もしくはＧＳＭ／ＧＰＲＳ結合のいずれかをサポートするネットワークと向き合うことになる。
【００１７】
これらのネットワークは、国間のローミングをサポートし、ネットワーク間の請求およびローミングの通知をサポートするためお互いの相互接続を実行する。図１においては、別個の物理的ネットワークとして示されているが、１３のネットワーク（５つのＧＳＭおよび８つのＧＳＭ／ＧＰＲＳ）が相互接続して合計で４つのネットワーク、すなわち３つのＧＳＭ／ＧＰＲＳネットワーク１，２およびＮと１つのＧＳＭネットワーク１とを構成している。ＧＳＭネットワークは１つ以上の他のＧＳＭネットワーク、あるいは１つ以上のＧＳＭ／ＧＰＲＳネットワーク、もしくはその両方に接続できる。ＧＭＳ／ＧＰＲＳネットワークも同様に、他のＧＳＭ／ＧＰＲＳネットワーク、ＧＳＭネットワーク、もしくはＧＰＲＳ／ＧＭＳネットワークとＧＳＭネットワークとの両方に接続できる。ＧＳＭ／ＧＰＲＳ１  ２およびＧＳＭ／ＧＰＲＳ２  ４で示されているカナダのネットワークはそれぞれ、米国で示されているＧＳＭ／ＧＰＲＳ１  １２およびＧＳＭ１  １４にそれぞれ接続されている。ＧＳＭ／ＧＰＲＳ２  ４はまた、通信リンク６経由で英国エリアに示されているＧＳＭ／ＧＰＲＳ１  ８と接続されている。米国からのネットワーク１  １４はまた、欧州中央部で示されているＧＳＭ１  １０と接続されている。他のネットワーク１６から２８も同様に、示されているとおり相互接続されている。これらの相互接続は、ネットワーク間のトラフィック移動およびローミングのサポートの基本になる。
【００１８】
移動局がある国もしくは通信ネットワーク網羅エリアに入ると、移動局は、データおよび音声信号を受信するため、１つ以上の無線ＧＳＭもしくはＧＳＭ／ＧＰＲＳネットワークと通信できる。例えば、英国では、現在４つのＧＳＭもしくはＧＳＭ／ＧＰＲＳネットワークが展開されており、移動局との接続で利用可能になっている。通常、英国で販売されているセルラー電話もしくは移動局は１つのネットワークだけで作動する。しかし、フランスから英国に入る移動局は２つもしくは３つの選択対象のネットワークをもつ。特定のネットワークの選択は、現在、国に到着した時点の最強の受信信号に基づき、無作為に移動局で行われている。
【００１９】
ここで図２に移ると、移動式通信装置の１つのタイプであるセルラー移動局についてのブロック図が示されている。移動局１１５は、好ましくは、少なくとも音声およびデータ通信機能をもつ双方向無線通信装置である。移動局１１５は、好ましくは、インターネット上の他のコンピュータシステムと通信する機能をもつ。与えられる正確な機能に応じて、移動局は、例えば、データメッセージ装置、双方向ページャ、無線Ｅメール装置、データメッセージ機能付セルラー電話、無線インターネット機器、もしくはデータ通信装置と呼ばれる。
【００２０】
移動局１１５が双方向通信可能にされている場合、受信機２１２および送信機２１４の両方を含む通信サブシステム２１１や、好ましくは、埋め込まれた、あるいは内部におかれた１つ以上のアンテナ要素２１６および２１８といった関連構成要素、局部発振器（ＬＯ）２１３、デジタル信号プロセッサ（ＤＳＰ）２２０といった処理モジュールを組み入れる。通信分野の当業者にとって明らかなように、通信サブシステム２１１の特定設計は、装置が作動するよう意図された通信ネットワークに依存する。例えば、移動局１１５は、Ｍｏｂｉｔｅｘ（商標）移動式通信システム、ＤａｔａＴＡＣ（商標）移動式通信システム、あるいはＧＰＲＳネットワーク内で作動するよう設計された通信サブシステム２１１を含む。
【００２１】
ネットワークアクセス要求事項についても、ネットワーク２１９のタイプに応じて変わる。例えば、ＭｏｂｉｔｅｘおよびＤａｔａＴＡＣネットワークにおいて、移動局１１５は、各移動局に関連付けられた唯一の識別番号を用いてネットワーク上に登録される。しかしＧＰＲＳネットワークにおいて、ネットワークアクセスは移動局１１５の加入者もしくは利用者に関連付けられている。したがって、ＧＰＲＳ移動局は、ＧＰＲＳネットワーク上で作動するため加入者特定モジュール（ＳＩＭ）カードを必要とする。有効なＳＩＭカードがなければ、ＧＰＲＳ移動局は完全に機能しない。局部もしくは非ネットワーク通信機能や、『９１１』非常電話といった法的に要求されている機能（がもしあれば）は利用可能であるが、移動局１１５は、ネットワーク２１９上での通信にかかわる他の機能を実行することができない。ＳＩＭインターフェイス２４４は、通常、ＳＩＭカードが挿入取出しできるカードスロットと同様のものである。ＳＩＭカードは約６４Ｋのメモリをもち、多数の主要構成、識別、加入者関連情報２５０を保持することができる。Ｏ−ＰＰＬＭＮ、Ｕ−ＰＰＬＭＮ、禁止ＰＬＭＮ（ＦＰＬＭＮ）は、当初、ＳＩＭカード２５０から受信される。ＰＰＬＭＮは、ここから、Ｏ−ＰＰＬＭＮとＵ−ＰＰＬＭＮとの両方に対して共通に用いる。
【００２２】
要求されるネットワーク登録あるいは起動手順が完了した場合、移動局１１５はネットワーク２１９上で通信信号を送受信する。通信ネットワーク２１９を通してアンテナ２１６で受信された信号は受信機２１２に入力されるが、この受信機は、信号増幅、周波数ダウンコンバージョン、フィルタリング、チャネル選択等、さらに図２で示される例示システムではアナログ・デジタル（Ａ／Ｄ）変換といった一般的な受信機の機能を実施する。受信信号をＡ／Ｄ変換をすることにより、ＤＳＰ２２０で実施される復調や復号といったさらに複雑な通信機能も可能になる。同様の方法で、送信される信号は、例えば復調や復号を含め、ＤＳＰ２２０で処理され、アンテナ２１８を経由した通信ネットワーク２１９上でデジタル・アナログ変換、周波数アップコンバージョン、フィルタリング、増幅、送信のために送信機２１４に入力される。ＤＳＰ２２０は通信信号を処理するだけでなく、受信機と送信機制御も行う。例えば、受信機２１２および送信機２１４における通信信号に適用される利得は、ＤＳＰ２２０で実施される自動利得制御アルゴリズムを通して適応制御される。
【００２３】
移動局１１５は、好ましくは、装置の全動作を制御するマイクロプロセッサ２３８を含む。少なくともデータおよび音声通信を含む通信機能は通信サブシステム２１１を通して実施される。マイクロプロセッサ２３８も、ディスプレイ２２２、フラッシュメモリ２２４、ランダムアクセスメモリ（ＲＡＭ）２２６、補助入出力（Ｉ／Ｏ）サブシステム２２８、シリアルポート２３０、キーボード２３２、スピーカ２３４、マイク２３６、短距離通信サブシステム２４０、その他概して２４２として指定される装置サブシステムといった装置サブシステムと相互作用を行う。
【００２４】
図２に示されるサブシステムの一部は通信関連機能を実行するが、他のサブシステムは『常駐』あるいはオンデバイス機能をもたらす。特に、例えばキーボード２３２やディスプレイ２２２といったサブシステムの一部は、通信ネットワーク上での送信のためにテキストメッセージを入力するといった通信関連機能と、計算機もしくはタスクリストといった装置常駐機能との両方のために用いられる。
【００２５】
マイクロプロセッサ２３８により用いられるオペレーションシステムソフトウェアは、好ましくは、フラッシュメモリ２２４のような常駐記憶装置内に保存されるが、フラッシュメモリの代わりに読み出し専用メモリ（ＲＯＭ）あるいは同様の保存要素（図示されていない）であってもよい。当業者であれば、オペレーションシステム、特定装置アプリケーション、あるいはその部品は、ＲＡＭ２２６のような揮発性メモリ内に一時的にロードしてもよいということを認めるであろう。受信された通信信号もまたＲＡＭ２２６に保存してもよい。
【００２６】
マイクロプロセッサ２３８は、オペレーティングシステム機能に加えて、好ましくは、移動局上でソフトウェアアプリケーションの実行を可能にする。例えば、少なくともデータおよび音声通信アプリケーションを含む基本動作を制御する所定組のアプリケーションは、通常、製造中に移動局１１５にインストールされる。望ましいソフトウェアアプリケーションは、Ｅメール、カレンダ事象、音声メール、アポイントメント、タスク項目といった移動局の利用者に関連するデータ項目を構成して管理する機能をもつ個人情報マネージャ（ＰＩＭ）であるが、これらに限定されるものではない。当然ながら、ＰＩＭデータ項目の保存を容易化するため、１つ以上のメモリ保存装置が移動局で利用可能である。このようなＰＩＭアプリケーションは、好ましくは、無線ネットワーク２１９経由でデータ項目を送受信する機能をもつ。好ましい実施例において、ＰＩＭデータ項目は、ホストコンピュータシステムに保存もしくは関連付けられた移動局利用者の対応データ項目とともに、無線ネットワーク２１９経由でシームレスに統合、同期、更新される。さらに追加のアプリケーションが、ネットワーク２１９、補助入出力サブシステム２２８、シリアルポート２３０、短距離通信サブシステム２４０、あるいは他の適当なサブシステム２４２を経由して移動局１１５にロードされ、利用者によってＲＡＭ２２６に、もしくは好ましくは、マイクロプロセッサ２３８による実行のため非揮発性保存装置（示されていない）にインストールされる。このようなアプリケーションのインストールにおける柔軟性により、装置の機能性が向上し、オンデバイス機能、通信関連機能、あるいはその両方が改善される。例えば、安全通信アプリケーションにより、電子商取引機能や他の金融取引を移動局１１５により実施することが可能になる。
【００２７】
データ通信モードにおいて、テキストメッセージもしくはウェブページのダウンロードといった受信信号が通信サブシステム２１１で処理され、マイクロプロセッサ２３８に入力されるが、マイクロプロセッサは好ましくはさらに、ディスプレイ２２２への出力、あるいはその代わりに補助入出力装置２２８への出力のために受信信号を処理する。移動局１１５の利用者はまた、キーボード２３２を用いて例えばＥメールメッセージといったデータ項目を構成するが、このキーボードは、好ましくは、ディスプレイ２２２および場合によっては入出力装置２２８と連携した完全な英数字キーボードもしくは電話型キーパッドである。このようにして構成された項目は、その後、通信サブシステム２１１を通して通信ネットワーク上に送信され、フラッシュメモリ２２４の一部２５１に保存される。
【００２８】
音声通信については、移動局１１５の作動は同様であるが、受信信号が好ましくはスピーカ２３４に出力され、送信用信号がマイク２３６で生成されることだけが異なる。音声メッセージ記録サブシステムといった他の音声もしくは音響入出力サブシステムについても、移動局１１５上で実施される。音声もしくは音響信号出力は、好ましくは、第一にスピーカ２３４を通して行われるが、ディスプレイ２２２を用いて、例えば、通話先の特定、音声通話の経過時間、あるいは他の音声通話関連情報の表示を行う場合もある。
【００２９】
図２のシリアルポート２３０は図１では１１５で示されており、個人携帯型情報端末（ＰＤＡ）タイプの移動局で通常実施されるが、この移動局に対して、利用者のデスクトップコンピュータ（図示されていない）との同期が行われるのが望ましいものの、任意の装置構成要素である。こういったポート２３０により、利用者が外部装置もしくはソフトウェアアプリケーションを通して好みの設定を行うことができるようになり、無線通信ネットワークを通した場合以外に、データもしくはソフトウェアダウンロードを移動局１１５に供給することで移動局１１５の機能を拡大できる。他のダウンロードパスとしては、例えば、直接の、そのため信頼信用できる接続を通して装置に暗号キーをロードして用いるものがあるが、これにより、安全な装置通信が可能になる。
【００３０】
ショートメッセージ通信サブシステム２４０はさらに他の任意の構成要素であり、これにより、移動局１１５および異なるシステムもしくは装置間での通信を可能にするが、これらのシステムや装置は同様の装置である必要はない。例えば、サブシステム２４０が赤外線装置やそれに関連する回路と構成要素、あるいはＢｌｕｅｔｏｏｔｈ（商標）通信モジュールを含み、これにより同様に通信可能にされたシステムや装置との間で通信できるようにする。
【００３１】
図３は、２つのＧＭＳ／ＧＰＲＳネットワークおよびそれらの間でローミングを行う移動局を示すブロック図である。図３は、２つのＧＭＳ／ＧＰＲＳネットワーク１２０および１２５間でローミングを行う移動局１１５を示す。このタイプのローミング構成は、ＧＳＭのみのネットワークがローミングを取り扱う方法に類似しているが、ＧＳＭ／ＧＰＲＳ連結ネットワークで若干異なり、音声のみ、データのみ、もしくは音声およびデータの組合せをサポートする移動局は、ネットワーク間のローミングに関して同様に取り扱われる。あるエリアもしくは国に入る移動局は、特殊なＲＦ無線チャネル相互接続を通してＧＳＭおよびＧＳＭ／ＧＰＲＳを検出できる。図３の図により、どのようにプロセスが作用するかを説明するためまとめたものをすぐに参照することができる。動作間のローミング関係は、主に請求のために確立される。操作者間料金（ＩｏＴ）構成は、ＧＳＭトラフィックのみ、もしくはＧＳＭおよびＧＰＲＳトラフィックに対して操作者間で確立できる。移動局ＳＩＭカード内のＰＰＬＭＮおよびＦＰＬＭＮリストで反映されるのはこのような関係である。
【００３２】
ＧＳＭ／ＧＰＲＳネットワーク１は、移動局１１５の利用者に対するホームネットワーク１２０である。利用者に対するホームネットワークは、ホーム公衆陸上移動ネットワーク（ＨＰＬＭＮ）と呼ばれるものであり、そのネットワーク内に登録された移動局はホームロケーションレジストリ（ＨＬＲ）１５０内で維持される。ＨＬＲ１５０は、ホームネットワーク上の加入者を証明し、他のネットワーク上のホーム加入者を確認するために用いられる。各無線ネットワークは、各サービスアクセスポイントが無線ベース接続ではなく固定接続であるようなサービス範囲をサポートする。固定接続により、一般的に、１つのアクセスポイント名（ＡＰＮ）でサポートされる多数のサービス加入者に対するデータスループットの容量を大きくすることができる。図３において、このようなサービスの１つをホームサービスプロバイダと称しているが、これはある移動局１１５グループに対する主要な通信サービスであるためである。移動局１１５の一部は、１つのホームサービスプロバイダ１００をもつ、あるいは、複数のサービス１０５，１１０をもちアクセスを行う。
【００３３】
ＧＳＭ／ＧＰＲＳネットワーク１２５における主要構成要素には、基地局１４５、サービングＧＰＲＳサポートノード（ＳＧＳＮ）１３０、ゲートウェイＧＰＲＳサポートノード（ＧＧＳＮ）１４０、ボーダーＧＧＳＮノード１３５、ＨＬＲ（ホームロケーションレジストリ）１５０、ＶＬＲ（ビジターロケーションレジストリ）１５５がある。
【００３４】
従来、移動局１１５がホームネットワーク１２０の網羅エリア内にある場合、移動局は、ホームサービスプロバイダ１００にネットワーク１２０まで戻って基地局１４５経由で通信を行う。移動局１１５が網羅を探索している場合、特に複数の利用可能ネットワークがある場合、通常、ＨＰＬＭＮを最初に確認する。ホームネットワーク１２０が利用可能でなくなった他の国もしくは地域に対して利用者がローミングを行うと、移動局１１５は、受信された、通常の無線周波数（ＲＦ）の信号強度を通して全ての利用可能基地局１４５を走査する。当業者であれば、『十分強力』なＲＦ信号強度とは広範な設定や解釈に当てはまるということを理解できる。１例として、ＧＳＭ標準は、−８５ｄＢｍ以上の信号強度は、『十分強力』な信号に対して適当なレベルであるとみなすべきであると特定している。しかし、この正確な信号レベルは、ここで説明されたシステムや方法に対して本質的ではなく、特定のネットワーク、移動局、もしくはネットワークまたは移動局のタイプに応じて他の値が有用である場合もある。
【００３５】
当業者であれば、このような走査プロセスが所定様式をもつことを認めるであろう。例えば、ＧＳＭまたはＧＰＲＳネットワークにおいて、走査は、ＧＳＭ移動局を管理する標準で定義される。標準には若干の柔軟性があり、ＨＰＬＭＮ外で用いられるネットワークの選択において利用者が参画することを可能にしている。各ネットワークはＰＬＭＮとして定義されており、ＰＬＭＮ間の関係を、移動局１１５内のテーブルで定義することが可能である。移動局１１５が基地局１４５を特定し、さらにその範囲内のネットワークを特定すると、ＰＰＬＭＮリストを参照し、ネットワークの１つがＰＰＬＭＮリスト内のネットワークと一致するかどうかを調べる。
【００３６】
従来のＧＰＲＳ移動局において、移動局１１５内のＰＰＬＭＮリストには、図２で示されているとおり、Ｏ−ＰＰＬＭＮとＵ−ＰＰＬＭＮという２つのタイプがある。利用者定義リストは比較的新しい概念であり、現在のところ利用は限られている。同様に、移動局１１５はまた、禁止ＰＬＭＮ（ＦＰＬＭＮ）リストをもっており、これによりあるネットワーク接続を排除する。また、走査中に位置決めされるネットワークがこれらのリストのいずれにもない場合もある。この場合、そのネットワークは、好ましくは、例えばどのネットワークを利用すべきかについてダイアログボックスを通じた移動局利用者による確認に応じて利用される。
【００３７】
ＧＰＲＳネットワークは通常、ＧＰＲＳルーチン交換（ＧＲＸ）１６０およびボーダーＧＧＳＮ１３５を通してリンクされる。この交換に関係する信号伝達はここでは、本発明の観点を示すうえで必要な範囲で説明される。ＧＰＸ１６０のさらに詳細については、当該分野の当業者にとって明らかであり、ＧＰＲＳにおけるローミングに対するサポートで用いられるＧＳＭ仕様書（ＧＳＭ仕様書２３．１２２）でも見出すことができる。
【００３８】
移動局１１５が長期に圏外という状況になった場合、これらの基地局１４５からのＲＦ信号の探索を始める。信号が補足できると、無線プロトコルにより移動局１１５に対して、どのネットワークが到達したか、またそのネットワークの性能について通知する。各ネットワークは署名をもち、ＧＰＲＳ可能基地局は、データ機能を特定するため、ＧＳＭプロトコルを超えた拡張ハンドシェークプロトコルをもつ。ＧＳＭ／ＧＰＲＳネットワーク内において、移動国コード（ＭＣＣ）と移動ネットワークコード（ＭＮＣ）があるが、移動ネットワークコードには、ネットワーク指定値とアクセス技術番号が含まれる。アクセス技術番号は、９００ＭＨｚ、１８００ＭＨｚ、１９００ＭＨｚ等のネットワークの無線周波数範囲を示す。
【００３９】
移動局１１５がネットワークを選択すると、ネットワークに対する『アタッチ』を行い、その識別コードを与える。ＧＳＭ／ＧＰＲＳについて、このコードは、通信ネットワークアカウントもしくは加入を特定する国際移動加入者識別番号（ＩＭＳＩ）もしくは一時移動加入者番号（ＴＭＳＩ）と、移動局利用者もしくは加入者を特定する移動局ＩＳＤＮ／ＰＳＴＮ番号ＭＳＩＳＤＮの両方を含む。移動局１１５が、ネットワーク１２５といったホームネットワーク１２０以外のネットワークにアタッチしようと試みる場合、他のネットワーク１２５がＧＲＸネットワーク１６０を用いてホームネットワーク１２０を用いて加入証明を行う。これによりホームネットワーク１２０がＨＬＲ１５０を参照して、その加入が有効であるかどうかを判定する。確認されると、移動局１１５は、訪れるネットワーク１２５のＶＬＲテーブル１５５におかれる。当該分野の当業者であれば、この手順はＧＳＭのみネットワークに類似しているが、ホームネットワークおよび訪れるネットワーク間のシンクはゲートウェイ移動通信交換局（ＭＳＣ）構成要素を通したものになる点が異なる。
【００４０】
ネットワーク１２５にアタッチした後、移動局１１５は、国−２  １２５のＧＭＳ／ＧＰＲＳネットワークにあるローカルＳＧＳＮ１３０を通してホームサービスプロバイダへのパケットデータプロトコル（ＰＤＰ）コンテキストを開こうと試みる。ＰＤＰコンテキストはＡＰＮおよびホームサービス１００を目的にする。ＰＤＰコンテキストはまた、移動局１１５に対するＩＰアドレスを割り振り、これによりＩＰパケットがいずれかの方向に送信できるようになる。ＳＧＳＮ１３０は訪問移動局１１５として移動局１１５を検知し、ホームネットワーク１２０の対応するボーダーＧＧＳＮ１３５への要求をボーダーＧＧＳＮ１３５経由で、ＧＰＸネットワーク１６０の正しいＧＰＸ接続の前方に送る。上述のとおり、この判定は、アタッチプロセス中に移動局１１５で与えられる識別情報により行われる。
【００４１】
ＧＳＭ／ＧＰＲＳネットワーク内の各インターフェイスにはラベル付けがなされ、どのプロトコルが用いられる手いるかを特定する。全基地局１４５およびＳＧＳＮ１３０にはＧｂインターフェイスがある。ＳＧＳＮ１３０およびＧＧＳＮ１４０間にはＧｎインターフェイスがあるが、このインターフェイスは、ＳＧＳＮ１３０およびボーダーＧＧＳＮ１４５間でも用いられる。ＧＧＳＮ１４０および全サービスプロバイダ間では、Ｇｉインターフェイスが用いられ、ボーダーゲートウェイ１３５とＧＲＸネットワーク１６０間ではＧｐインターフェイスが用いられる。ＧＲＸネットワークからは、他の全ての外部ネットワーク操作者（ＦＮＯ）システム１６５が共通にリンクされたＧＲＸネットワークをもつと仮定すると、これらのシステムが到達可能である。
【００４２】
ＧＳＭネットワーク標準では、国−２  １２５内のＧＳＭ／ＧＰＲＳネットワークの基地局１４５を選択するため、移動局１１５が実施する必要のある特殊なステップを特定する。第一に、移動局１１５は基地局を用いて最低レベルの信号強度を達成しなければならない。信号強度が確立され、最小の信号強度基準に見合う各基地局に関連付けられたネットワークが特定されると、移動局１１５は、ＳＩＭ上のＰＰＬＭＮおよびＦＰＬＭＮリストを用いて、『最良』のネットワーク選択とみなすものを判定する。移動局１１５はＰＰＬＭＮリストを確認し、新たに位置決めされたネットワークがＰＰＬＭＮリスト上のネットワークに一致するかどうかを確認する。同様に、移動局１１５は、ＦＰＬＭＮリストを確認してどのネットワークが禁止されているかを判定する。新たに位置決めされたネットワークがＦＰＬＭＮ内にある場合、これらのネットワークはそれ以上の接続操作から除外される。ＦＰＬＭＮリストに一致しない場合、移動局１１５は、信号強度に基づいて最近位置決めされたネットワークの１つを選択しようと試みる。
【００４３】
図４は、異なるタイプの複数ネットワークのある地域における移動局を示すブロック図である。図４において、移動局１１５は、４つのネットワーク２１０，２１５，２２０，２２５をもつ地域内で示されているが、各ネットワークは基地局２１２，２１４，２１６，２１８をもつ。説明目的のため、各基地局２１２，２１４，２１６，２１８は移動局１１５の観点から見て同様のＲＦ強度をもち、移動局１１５が、ローカルネットワーク１  ２１０、ローカルネットワーク２  ２１５、ローカルネットワーク３  ２２０、ローカルネットワーク４  ２２５から『十分強力』な信号を受信する。ネットワーク２１０および２１５の２つはＧＰＲＳ可能であり、ネットワーク２２０および２２５の２つはＧＳＭのみネットワークであって、ＧＰＲＳ可能ではない。
【００４４】
本適用により、移動局１１５が多機能移動局として機能を最大化（例えば、データおよび音声通信サービスの両方が可能）するため、ＧＰＲＳネットワーク２１０および２１５の内の１つを選択しなければならない。従来のＧＭＳ操作において、受信信号が最低必要な信号強度レベルを超えており、ＦＰＬＭＮで見出される最高のネットワークに対して一致させる全ネットワークを移動局１１５が比較する。ＦＰＬＭＮが最優先になっているため、ＧＳＭ移動局は、定義により、このリストの順番に従わなければならない。図４において、ローカルネットワーク４  ２２５がＦＰＬＭＮでリストアップされている最高のネットワークであれば、移動局１１５はこのネットワークにキャンプオンしなければならない。しかし、このプロセスでは、移動局がまたデータ可能であるということを無視している。したがって、データ通信をサポートしないローカルネットワーク４  ２２５を選択することは、必ずしも移動局１１５にとって最適ではない。
【００４５】
移動局１１５の機能を改善するため、よりよいネットワークに対する探索では、他の因子を考慮する方が好ましい。信号強度があるレベル未満である場合に移動局１１５が効果的に通信できないことから、実質的に、上述のとおり『十分強力』な信号をもつネットワーク基地局だけが位置決めされる。本発明の１つの観点によれば、ＧＰＲＳネットワークといったデータ可能ネットワークがその後特定される。移動局１１５は、その後、特定されたどのデータ可能ネットワークが好ましいネットワークリスト上に最初にリストアップされ、ＧＳＭ／ＧＰＲＳ移動局のどれがＰＰＬＭＮリストになるかを判定する。移動局１１５はその後、ＧＰＲＳネットワークに対するＧＲＸネットワークといった相互接続が、好ましいリスト上の最優先度データ可能ネットワークからホームネットワークで確実に利用可能になるかを確認する。最優先度のデータ可能ネットワークからホームネットワークへの相互接続が利用可能でない場合、移動局１１５は、ホームネットワークへのリンクが見つかるまで好ましいリスト内にある識別されたデータ可能ネットワークを継続して試みる。
【００４６】
ホームネットワークに接続するリンクを見つけることができない場合、移動局１１５は、上述のとおりＧＳＭネットワークといったデータ不能ネットワークの従来式ネットワーク選択に戻る。他の方法として、ホームネットワークへのリンクについて全データ可能ネットワークの走査後にネットワーク選択法を停止するものもある。これは、データ可能ネットワークがデータ不能ネットワークと比較して多くの機能がある場合、特に望ましい。状況によっては、利用者がそのホームネットワークに到達できない場合でも、例えばインターネット全般にアクセスするため、新規ネットワーク上の移動局をさらによく利用できるようになる。
【００４７】
再び図４を参照すると、移動局１１５は通常、ＳＩＭカード上に保存されたＰＰＬＭＮの形態の好ましいネットワークリストにアクセスできる。データ可能ネットワークには、ＧＳＭ／ＧＰＲＳローカルネットワーク１および２  ２１０および２１５が含まれるが、ＧＳＭローカルネットワーク３および４  ２２０および２２５はデータ不能ネットワークの例を示す。
【００４８】
移動局１１５が、上で簡単に説明したネットワーク選択法を実施し、ＰＰＬＭＮリストが、図４で示されるネットワークの順番に従う場合、最初に試みられるネットワークはローカルネットワーク１  ２１０である。しかし、ローカルネットワーク１  ２１０はＧＲＸ接続をホームＰＬＭＮ２０５に戻さないため、ローカルネットワーク２  ２１５が次に試みられる。このネットワークがＧｐリンク２４０をホームＰＬＭＮ２０５やホームサービスプロバイダ２００に戻すため、移動局１１５で選定される。最後に利用可能なデータ可能ネットワークであるローカルネットワーク２  ２１５が接続をホームＰＬＭＮ２０５に戻さない場合、最初のＧＳＭネットワークが試みられる。最初に試みられるＧＳＭネットワークはローカルネットワーク３  ２２０であり、利用者のアカウント情報を確認するため、リンク２３０が用いられてそのホームＰＬＭＮ２０５のＨＬＲと通信する。これが失敗すると、ローカルネットワーク４  ２２５がリンク２３５を通して試みられる。
【００４９】
図４の他の実施例において、新たなネットワーク２１０，２１５，２２０，２２５は、移動局１１５のＯ−ＰＰＬＭＮリスト上に含まれない。この状況は、Ｕ−ＰＰＬＭＮリストがフラッシュメモリ２２４もしくはＲＡＭ２２６（図２）といったメモリにあって、有効になった場合はさらに難しくなる。
【００５０】
Ｕ−ＰＰＬＭＮを構築する一般的な方法の１つは、かつての利用者あるいは『手動』ネットワーク選択を通したものである。上に示した図４の例のとおり、４つのネットワーク２１０，２１５，２２０，２２５から同様の強度の信号を受信する国あるいは地域に移動局１１５が入ったと仮定される。しかし、さらに、これらのネットワークがＯ−ＰＰＬＭＮリストあるいはＦＰＬＭＮリスト上で見つからず、移動局１１５がこれらのリストが利用可能とみなすと仮定される。この状況において、これらのネットワークが特定されると、利用者は、どのネットワークを試みたいかの選択をせまられる。ＧＳＭ仕様書では、これは手動ネットワーク選択と呼ばれている。利用者がネットワークを選定した後、接続をホームネットワーク２０５に戻すよう試みられ、うまくいった場合、Ｕ−ＰＰＬＭＮに追加される。
【００５１】
これらの手動ネットワーク選択に対する利用者インターフェイス（ＵＩ）は、標準ダイアログボックス、ピックリスト、スクロールメニュー、あるいはその他の利用可能なＵＩ選定モデルである。当業者であれば、ＵＩがまた、利用者による各ネットワーク選択以外に『ＧＰＲＳ』あるいは『ＧＳＭ』といった機能特定ストリングを示すことでネットワーク機能を含むことは明らかである。他の実施例において、全てのＧＰＲＳネットワークがホームＰＬＭＮに到達することに失敗した場合、利用者に対して『ＧＰＲＳネットワーク選択』の件名に続いて『ＧＳＭネットワーク選択』という件名のダイアログボックスが提示される。
【００５２】
この状況におけるネットワーク選択は、それに代わり、利用者の介入の要求されない自動的なものであってもよい。この方法において、移動局１１５は、好ましくは、ＧＳＭをサポートするネットワークと、ＧＳＭ／ＧＰＲＳをサポートするネットワークとを特定し、２つのタイプのネットワークを分離する。ＧＳＭのみネットワークは利用非推薦ＰＬＭＮリスト上におかれ、全てのＧＳＭ／ＧＰＲＳネットワークが試みられて失敗した後だけ試みられる。ここまで述べられた唯一の失敗例はホームＰＬＭＮ２０５に到達できないということに関するものであった。他の失敗例としては、（１）ＰＬＭＮ不許可；（２）当ローカルエリア内でローミング不許可；（３）ＧＰＲＳ不許可；（４）ホームネットワーク拒否等がある。ネットワークリンクが移動局１１５に対して作動しないように見えることから、これらの誤り等によりネットワークがＦＰＬＭＮ上におかれる場合がある。
【００５３】
手動あるいは自動で選定されたネットワークは、好ましくは、Ｕ−ＰＰＬＭＮリストに追加され、このリストは移動局１１５のフラッシュメモリ２２４あるいはＲＡＭ２２６（図２）といった正規のデータ記憶装置内に記憶される。Ｕ−ＰＰＬＭＮリストはその後、後続のネットワーク選択手順で参照される。通常、移動局１１５は、Ｕ−ＰＰＬＭＮリスト参照前にネットワーク選択プロセス中に検出された新規ネットワークについてＯ−ＰＰＬＭＮリストを最初に確認する。さらに、例えば、ホームネットワーク操作者、ホームサービスプロバイダ、あるいは移動ローカル有者により管理される制限に応じて、Ｏ−ＰＰＬＭＮリストの前にＵ−ＰＰＬＭＮリストを移動局が確認するよう構成することも可能である。
【００５４】
再走査。現在のＧＳＭ仕様書によれば、移動局は、Ｕ−ＰＰＬＭＮリストあるいはＯ−ＰＰＬＭＮリストにおいて優先度の高いネットワークに対して再走査を行う機能だけをもつ。しかし、移動局に対して音声のみＧＳＭあるいは他の限定されたサービスが確立された場合、移動局がＧＳＭ／ＧＰＲＳネットワークといった新ネットワークを定期的に確認するのが望ましい。ネットワークがＯ−ＰＰＬＭＮおよびＵ−ＰＰＬＭＮリストで低優先度である場合でも、これは行われる。この状況は他のタイプの移動局やネットワークに対しても起こりうることであり、ここで移動局に対して、異なる移動局の能あるいはサービスをサポートする異なるタイプのネットワーク上で通信ができるようになる。
【００５５】
図４において、移動局１１５は新たな地域または国に入り、ローカルネットワーク４  ２２５上で位置決めされたＧＳＭのみの基地局をもつ範囲（すなわち、『十分強力』な信号）を見つける。しかし、移動局１１５が同一ホームで移動すると、ローカルネットワーク１  ２１０の他のＧＳＭ／ＧＰＲＳ基地局の範囲内に入る場合がある。ＧＳＭ標準において、移動局１１５がＰＰＬＭＮリストで高優先度であれば、ネットワーク２１０上でキャンプオンできるだけである。しかし、本適用例によれば、移動局１１５は、期間失効時あるいは他の適切な事象発生時に、かつて見られなかったあるいは利用可能でなかった他のデータ可能ネットワークに対して再走査を行おうと試みる。これには、Ｏ−ＰＰＬＭＮおよびＵ−ＰＰＬＭＮリストで低優先度であるネットワークが含まれる。この時間間隔は、例えば、ネットワーク操作者、ＳＩＭ製造者、ネットワーク仕様書、移動局製造者、あるいは移動局１１５の利用者によって特定あるいは設定される。この再走査の目的は移動局１１５のネットワーク機能を向上させることである。この例では、移動局１１５はローカルネットワーク４  ２２５を経由した音声サポートをもつが、ネットワーク接続を変更することにより、移動局１１５はローカルネットワーク１  ２１０経由でデータおよび音声サポートを得ることができる。
【００５６】
再走査プロセスは任意の適当な事象により開始、起動される。例えば、間隔タイマの場合、再走査プロセスは再走査タイマが失効すればいつでも実行される。このようなタイマは、再走査がある間隔で実施されるよう適当に再設定される。時間間隔が再設定されずに、あるいはそれまでの間、タイマが同一値に再設定される場合、再走査は一定間隔で行われる。これに代わり、新規のデータ可能ネットワークが見つかるまでに数回の再走査が失敗した後にタイマが異なる値に再設定されれば、再走査タイミングは異なる間隔で繰り返される。典型的な高ネットワークトラフィック時間に再走査を行うことを避けるため、１日のある時間に再走査を制限することもできる。移動局が地域の変更を検知した場合、あるいは移動局が新地域において音声のみネットワーク接続を取得した場合、再走査が同様に、あるいはそれに代わり実施される。移動局が音声およびデータ通信の両方が可能な利用可能ネットワークを検出すると、移動局は、好ましくは、このネットワーク上にキャンプオンを試みる。再走査プロセス中に上述のとおり、受信信号強度およびＰＰＬＭＮリストが実質的に用いられる。再走査プロセスの第一の目的が移動局に対して利用可能なデータ通信サービスを見つけることであることから、すでに利用可能なデータ通信サービスをもつネットワーク内で移動局がすでに作動している場合、好ましくは、再走査を無効にする。
【００５７】
現ネットワークがＯ−ＰＰＬＭＮリストあるいはＵ−ＰＬＭＮリスト上にあり、新たに見つかったネットワークがＰＰＬＭＮリスト上にない場合、移動局は、新規ネットワークに切り替えを行う代わりに現ネットワーク上にとどまる。大部分のＧＳＭ／ＧＰＲＳネットワークがＯ−ＰＰＬＭＮリスト、あるいは場合によってはＵ−ＰＰＬＭＮリスト上のどこかに含まれる可能性は高い。強力なＧＳＭネットワークからかなり弱いＧＳＭ／ＧＰＲＳネットワークへの切り替えを防ぐため、再走査プロセス中のネットワーク変更は相対信号強度にも依存する。受入れ可能な信号強度は、例えば移動局のメモリ内に保存される。
【００５８】
ＰＬＭＮリストを用いたネットワーク選定。図５および６は、移動局とともに用いられるネットワークを選定する方法を示すフローチャートである。これらの図で示される方法は、ＧＳＭ／ＧＰＲＳ移動局やＧＳＭおよびＧＳＭ／ＧＰＲＳネットワークに関係するものであるが、この方法は、異なる種類やレベルのサービスを提供する移動局やネットワークが存在する他の環境でも適用される。図５および６で示される方法のステップは、例えば、移動局のソフトウェアでまず実施される。
【００５９】
図５のステップ３００において、ＨＰＬＭＮが利用可能な地域が残っていることを移動局が検出する。これはホームローミング状況あるいは国際ローミング状況でも可能である。一方、移動局はステップ３０１で再走査タイマの失効を検出する。これらの状況のいずれかに応じて、ネットワークの優先リスト確立を目的に、ステップ３０５で範囲内の全ネットワークに対して移動局が走査を行う。特定された各ネットワークはステップ３１０で試験され、そのネットワークがＰＰＬＭＮリスト上で見つからなかったことを確認する。ネットワークがＦＰＬＭＮリスト上にある場合は無視され、ステップ３１５で試験が行われ、ステップ３０５ですでに特定された他のネットワークのＦＰＬＭＮリストに対する確認が残っているかどうかを判定する。残っているネットワークがなければ、ステップ３２０で仕様書２３．１２２（『ＧＳＭネットワーク選定』）で概略が示されているＧＳＭネットワーク選定アルゴリズムが始まる。追加のネットワークの試験があれば、この方法がステップ５Ａから繰り返され、リスト上の次ネットワークが前述のように確認される。
【００６０】
ネットワークがＦＰＬＭＮリスト上にない場合、２つのＰＰＬＭＮリストの内の１つにあるかどうかを見るためステップ３２５で確認される。リストにない場合、このネットワークは、図６で示されたとおり、未知のネットワークリスト３３０におかれる。ネットワークがＦＰＬＭＮリストの１つにある場合、データ通信サービスをサポートするかどうかを見るためステップ３３５でさらに確認される。データ通信サービスをサポートしない場合、あるいはデータ通信サービスが利用できない場合、ステップ３４０において、移動局のメモリ内に保持されているネットワークの既知音声のみリストにそのネットワークがおかれる。その後、ステップ５Ａに処理が戻り、追加のネットワークについて確認される。ネットワークがデータ通信サービスをサポートしない場合、ステップ３７０でＵ−ＰＰＬＭＮリストに追加され、ステップ５Ａに処理が戻る。
【００６１】
ここで図６に戻ると、示されているとおり、図５からのフロー図では１つの入口点がある。入口点４００は、走査中に見つかった未知のネットワークの登録を取り扱う。未知のネットワークが検出された場合、最初の試験は、ステップ４０５においてデータ通信サービスをサポートするかどうかを判定する。例えばＧＳＭ／ＧＰＲＳといったデータ通信サービスをサポートする場合、ステップ４１０でＲＡＭ２２６（図２）のようなメモリで『未知音声データリスト』に追加される。音声データネットワークであることから、ステップ４１２において、（未知であることから低優先度として）利用者ＰＰＬＭＮリストの最下部に追加される。未知のネットワークがステップ４０５での試験において音声のみネットワークである場合、ステップ４１５において、このネットワークが『未知音声のみリスト』におかれ、これもまたメモリに保存される。未知ネットワークが未知ネットワークリストに追加されると、移動局は、ステップ４２５で試みられるネットワークがさらにあるかどうかを見るために試験を行う。試みられるネットワークが他にある場合、この方法は図５のステップ５Ａで継続される。試みられるネットワークの残りがない場合、この方法は終了し、ステップ４２０におけるＧＳＭネットワーク選定が開始される。
【００６２】
追加再走査。ネットワーク再走査タイマは、キャンプオンされた通信ネットワークがホームネットワークでない場合に開始されるタイマである。このように、移動局がホームネットワーク以外の通信ネットワークにキャンプオンする場合、再走査タイマが開始される。タイムアウトになった場合、この選定技術ではホームネットワークに対する探索を開始し、それが見つかった場合にホームネットワークを選定しそれにキャンプオンし、ホームネットワークが見つからなければタイマを再設定する。
【００６３】
図７は、本適用例の再走査法を記述するフロー図である。図５および６に関連して、上述のとおり、図７の方法は移動局のソフトウェアで実施される。図７のステップ５００において、移動局は国または地域の変更を検出する。ステップ５０５において、音声のみネットワークに移動局がキャンプオンするが、このネットワークはホームネットワークでも既知の音声データネットワークでもない。ある時間経過後、再走査タイマはステップ５１５で失効するが、これによりステップ５２０でエリア内の新規ネットワークに対する再走査が開始される。再走査プロセスにより、移動局が、移動局に対して既知の、あるいは良好なサービスをもたらすネットワークを見つける機会が得られる。既知の音声およびデータネットワーク、既知の音声のみネットワーク、未知の音声データネットワーク、最後に未知の音声のみネットワークというように機能が少なくなる順番で良好なサービスをもたらすネットワークとみなされる。
【００６４】
見つかった各ネットワークに対して、そのネットワークがステップ５２５でＦＰＬＭＮリスト上にあるかどうかを見るための試験がなされる。ネットワークがＦＰＬＭＮリスト上にある場合、全ネットワークが再試行されたかどうかを見るため、ステップ５３０で試験が行われる。ステップ５３０で試行されるネットワークがさらにある場合、試験が継続される。その他の場合、試行されるネットワークがなければ、再走査が停止され、再走査タイマがステップ５３５で再設定される。見つかったネットワークがＦＰＬＭＮリスト上にない場合、そのネットワークがＰＰＬＭＮリストの内の１つにあるかどうかを見るため、ステップ５４０で試験が行われる。ネットワークがＦＰＬＭＮリストの１つにない場合、データ可能ネットワークであるかどうかを見るため、ステップ５４５でさらに試験が行われる。ネットワークが未知でありデータネットワークでない場合、この方法はステップ５３０に戻り他のネットワークに対する確認を行う。この理由は、良好な信号強度をもつ未知の音声のみネットワークが、すでに使用されている音声のみネットワークより良好になりうるためである。
【００６５】
しかしネットワークがデータ可能である場合、未知の音声ネットワークよりも良好となる可能性のある未知のデータネットワークの分類に入れられる。これを確認するため、移動局がステップ５５５で試験を行い、現在キャンプオンしているネットワークがＧＳＭネットワークといった未知の音声ネットワークであるかどうかを調べる。これに当てはまらない場合、現在のネットワークは、見つかったネットワークと同程度、あるいはそれ以上に良好のものであり、そのため、この方法がステップ５３０に戻り、他のネットワークが見つけられるかどうかを確認する。移動局が、現在のキャンプオンネットワークが未知の音声のみネットワークであること確認すると、ステップ５６０で示されているとおり、現在のネットワークに代わり新たに見つかった未知のデータネットワークが用いられる。ステップ５６５においてこれらの操作の内の１つが失敗と判定されると、この方法はステップ５３０に戻り他のデータネットワークに対する走査を行う。このアタッチが成功すると、このネットワークはＵ−ＰＰＬＭＮリストにおかれ、このネットワークが通信５７０に対して用いられる。
【００６６】
ステップ５４０に戻ると、ネットワークがＰＰＬＭＮリストで既知と判定されると、この方法では、ステップ５５０において、このネットワークがデータのサポートを行うかどうかを見るため確認を行う。このネットワークがデータのサポートを行わない場合、上述のとおり、ステップ５５５で追加確認が行われ、現在のネットワークが未知の音声のみネットワーク、すなわちＧＳＭであるかどうかが調べられる。既知のＧＳＭネットワークが特定されると、現在の未知のＧＳＭネットワークに置き換える必要がある。現在のネットワークが未知のＧＳＭネットワークである場合、あるいは新規ネットワークがＧＳＭ／ＧＰＲＳといった既知のデータネットワークである場合、移動局は、ステップ５６０で新規ネットワークへのアタッチを行い、ホームＡＰＮへのＰＤＰコンテキストを開こうと試みる。アタッチあるいはＰＤＰコンテキスト作成が失敗すると、この方法はステップ５３０に戻り、見つかった他のネットワークを確認する。その他の場合、このネットワークはステップ５７０でアクセプトされ、利用者ＰＰＬＭＮリストに追加され、通信用に用いられる。
【００６７】
図８は、他の再走査法を記述するフロー図である。ステップ５００から５２０は、図９に関連して説明されたものと同じである。しかしステップ５２０に達すると、図８で示される実施例では、図５および６で表される方法（『Ｇｏｔｏ５Ａ』）に戻り、ＧＳＭネットワーク選定がネットワーク選定のために用いる優先リストを確立する。図５および６で説明される方法がその後に実施され、移動局に対してさらに望ましいネットワークをもたらす。
【００６８】
サービスアクセスリストを用いたネットワーク選定。図９は、移動局においてネットワーク選定をもたらすための他の方法を記述するフロー図である。この方法では、従来のＰＬＭＮリストに関連して従来のネットワーク選定が行われるが、その後、この選定は、別個の『サービスアクセスリスト』でリストアップされている他の好ましいネットワーク（例えば、データ通信利用可能ネットワーク）に対して相互チェックされる。性能を上げるため、別個のサービスアクセスリストが地域ベース毎（例えば、ＭＣＣ毎）に保持されるということに注意のこと。
【００６９】
図９のステップ１１００において、移動局は、特定のＰＬＭＮとともに登録され、ＰＬＭＮ基地局の１つの特定の無線チャネル上でキャンプオンするアイドルモードで作動する。セル条件が悪い場合、あるいはさらに良好なセルが利用可能である場合、従来のＧＳＭネットワーク選定がステップ１１０２で実施され、新たなＰＬＭＮの拾い出しが試みられる。このステップは、ステップ１１０２に選定されたＰＬＭＮがホームＰＬＭＮである場合、あるいは同一のＰＬＭＮがすでに一緒に登録されている場合に従来のＰＬＭＮリストを用いて走査と優先ＰＬＭＮ選定とを行うステップを含み、その後、完全な通信サービスがまだ利用可能でない場合、ステップ１１０６で再走査タイマを再設定した後にステップ１１００において移動局がＰＬＭＮ上で作動を続ける。
【００７０】
新たなＰＬＭＮがステップ１１０２で選定されると、新たに選定されたＰＬＭＮはステップ１１０４においてサービスアクセスリスト内で探索される。新たなＰＬＭＮがサービスアクセスリスト内で見つかった場合、ステップ１１１０においてデータ通信サービスにアクセスするため、移動局がネットワーク経由で接続しようと試みる。データ通信サービスは、例えば、移動局のホームネットワークで提供されるサービスである。ステップ１１１０は、さらに詳細には、移動局のホームネットワーク上のサーバに対して『サービス要求』パケットを送信することで実施される。実際にこのサービスにアクセスできない場合、ＰＬＭＮはステップ１１１２においてサービスアクセスリストから除去され、この方法がステップ１１０８で継続される。移動局は、例えば非配送通知を受信する、あるいは特定の期間内にホームネットワークサーバから許可がない場合、そのデータサービスが利用不能であるということがわかる。
【００７１】
新たに選定されたＰＬＭＮがステップ１１０４においてサービスアクセスリストで見つからない場合、あるいはステップ１１１０および１１１２においてネットワーク経由で接続不能になり、そのネットワークをサービスアクセスリストから除去する場合、サービスアクセスリストでリストアップされているＰＬＭＮはステップ１１０８において現在の走査リスト内で探索される。ＰＬＭＮが走査リスト内で見つかった場合、前述のとおり、ステップ１１１０においてデータ通信サービスにアクセスするため、移動局がネットワーク経由で接続しようと試みる。この方法はまた、再走査タイマがステップ１１２６で失効し、１１２８において新たな走査リストが作成される場合、ステップ１１０８で開始される。
【００７２】
ステップ１１０８において、サービスアクセスリストのＰＬＭＮが現在の走査リストで見つからない場合、ステップ１１１４において、データ通信サービスをサポートするＰＬＭＮに対して移動局が走査リストをソートする。ステップ１１１６において、ソートされた走査リストの全ＰＬＭＮに対して、データ通信サービスにアクセスするため、移動局がネットワーク経由で実際に接続しようと試みる。移動局が、データ通信サービスに対してＰＬＭＮを用いてデータ接続を確立できる場合、『パス』となり、ステップ１１２０においてＰＬＭＮがサービスアクセスリストに追加される。移動局がステップ１１１６においてデータ接続を確立できない場合、『失敗』となり、従来どおり、ステップ１１１８において移動局がもっとも可能性の高いネットワークを選定する。ネットワーク間に連携がある場合、移動局は、ステップ１１２２においてこの連携を断ち切るため、最強の信号をもつネットワークを選定する。ステップ１１１８，１１２０，１１２２の後、この方法はステップ１１０６で継続され、コネクタＡ１１２４経由で再走査タイマを設定する。図１１に関連する説明を終える。
【００７３】
さらに一般的なアプローチ。さらに一般的なアプローチにおいて、移動式通信装置は、関連するネットワークサービスを必要とする複数の異なる特性や機能をもたらす。有利な点は、そのネットワーク選定技術がこれらのサービス全ての利用可能性を考慮するということである。例示として、移動式装置が最終利用者に対して、音声通信サービス、電子メール（Ｅメール）サービス、ショートメッセージサービス（ＳＭＳ）、インターネットアクセスサービス、プライベートインターネットアクセスサービス、無線アプリケーションプロトコル（ＷＡＰ）サービス、ローカルデータ補助サービス、ホームデータ補助サービス、天気予報サービスや星占いサービス、株式相場サービスといったアプリケーション特定データサービスを含む特性を通信ネットワーク経由でもたらすが、これらのサービスに限定されるものではない。追加サービスは、例えば高速インターネットサービスに対する低速インターネットサービスといった他の同様のサービス間の相対的な質の違いによって区別される。
【００７４】
本アプローチにおいて、移動式装置は、地理的網羅エリア内の通信で利用可能な１つ以上の通信ネットワークを特定する。移動式装置はこのステップを従来の走査動作で行う。次に、移動式装置は、これらの通信ネットワークのそれぞれ１つで利用可能にされる１つ以上の通信サービスを特定する。これらの通信サービスは、上でリストアップしたサービスのいずれか、もしくは他の適当なサービスである、もしくはこれらのサービスを含む。各通信ネットワークは、移動式装置に対して利用可能な通信サービスの副セットだけをもつ。好ましくは、移動式装置は、ネットワークのサービスに実際にアクセスしようと試みることで、少なくとも部分的にこれらのサービスの利用可能性を特定する。
【００７５】
次に、移動式装置は、通信ネットワークで利用可能にされる通信サービスに基づき優先方式で通信ネットワークを選定する。好ましくは、移動式装置は、その移動式装置に対して最良の、もしくは最大の通信サービスを利用可能にする通信ネットワークに対して第一優先度を選定する、もしくはそれを与える。移動式装置が登録し、ともに作動するのはこのネットワークである。優先度を指定する場合、移動式装置は、好ましくは、『最良』から『最悪』のネットワークの優先ネットワークリストを保持する。『最良』ネットワークは、移動式装置に対して最大数の通信サービスを提供するものである。同様に、『最悪』ネットワークは、最小数の通信サービスを提供するものである。
【００７６】
その他、『最良』ネットワークは、移動式装置に対して最大数の『好ましい』通信サービスを提供するものである。ここで、１つ以上の『好ましい』通信サービスはネットワークであらかじめ決まられる、移動式装置製造者によってあらかじめ決められる（装置のメモリ内に保存される）、あるいは利用者インターフェイス経由でそのようなサービス優先度をプログラムする最終利用者によってあらかじめ決められる。他の変形例において、各通信サービスに対してあらかじめ相対荷重値が指定され、各ネットワークにおいて利用可能な通信サービスに対する相対荷重値の合計値が計算される。ここで、『最良』ネットワークは、荷重値の最大合計値をもつものであり、『最良』から『最悪』のネットワークをもつ優先ネットワークリストの最上部に維持される。これらの意思決定プロセスに対して、成功率、（特定あるいは実際の）データスループット率、費用を含めて追加の荷重が用いられる。
【００７７】
移動式通信装置における追加の特性として、移動式装置が特別な作動モード内にある場合だけここで説明された本発明のネットワーク選定法が実施されるということがある。この特別なネットワーク選定モードは『好ましい』ネットワーク選定モードと呼ばれ、移動式装置の『自動』および『手動』ネットワーク選定モードに対する追加になる。ネットワーク選定の異なるモードは移動式装置の目視ディスプレイ上に表示されるため、最終利用者はそれらの１つを選定できる。その他、ネットワーク選定モードとして、移動式装置の製造者によりあらかじめプログラムされるというものもある。
【００７８】
明らかに、上述の方法は、フロー図に関してすでに説明したＧＳＭ特定技術で実施可能である。
【００７９】
まとめ／利点。このように、移動式通信装置用に１つ以上の通信サービスを提供するためのセルラーネットワークを選定するための方法および装置がここで説明された。地理的網羅エリアにおける音声通信サービスをサポートする１つ以上の通信ネットワークを特定するため、移動式装置は走査を行う。移動式装置はその後、地理的網羅エリアにおける移動式通信装置に対して、どの通信ネットワークがデータ通信サービスを利用可能にするかを判定する。有利な点は、この移動式装置が、データ通信サービスを利用可能にできないネットワークに対してデータ通信サービスを利用可能にする通信ネットワークを選定登録することである。好ましくは、この移動式通信装置が、ＧＳＭ（移動用広域システム）およびＧＰＲＳ（汎用パケット無線サービス）に従って作動する。さらに好ましくは、この方法が、１つ以上の優先ネットワークリストの作成とともに実施される。この場合、移動式装置が、データ通信サービスを利用可能にできない通信ネットワークよりも、データ通信サービスを利用可能にする通信ネットワークに対して、優先ネットワークリストで高優先度を指定する。
【００８０】
この方法は移動式通信装置にかかわるものとしてさらに一般化されるが、この装置は、地理的網羅エリア内の移動式装置を用いて移動通信を容易化するため、利用可能な１つ以上の通信ネットワークを特定し；各ネットワークの移動式装置に対して実際に利用可能にされる１つ以上の通信サービスを特定し；各ネットワークのサービスの特定された利用可能性に少なくとも一部基づいて移動式装置に対する最良の通信サービスを提供するのがどのネットワークであるかを特定し；移動式装置に対して最良のサービスを提供すると判定されたネットワークを選定する、もしくはそれに対して優先度を指定し；選定された、もしくは優先度の与えられたネットワークとともに登録を行う。ネットワークで利用可能にされる通信サービスには、音声通信サービス、電子メール（Ｅメール）サービス、ショートメッセージサービス（ＳＭＳ）、インターネットアクセスサービス、プライベートインターネットアクセスサービス、無線アプリケーションプロトコル（ＷＡＰ）サービス、ローカルデータ補助サービス、ホームデータ補助サービス、天気予報サービスや星占いサービス、株式相場サービスといったアプリケーション特定データサービスがあるが、これらに限定されるものではない。
【００８１】
有利な点は、上で説明した方法により、移動式装置に対する移動通信を提供するため、移動式装置が自動的に最良ネットワークを選定することが可能になることである。ある装置およびネットワークに対して利用可能なサービスは、利用者の介在なしに最大化される。装置の機能は、最終利用者が常に豊富なサービス領域に移動することで継続的に改善できる。さらに、複数の方法により従来法やＰＰＬＭＮリストの継続的な利用ができる。最後に、この方法はまた、接続の選好を管理するため、ネットワークからの積極的な更新を必要としない。
【００８２】
上の説明は例としてのみ、好ましい実施例に関係するものであることが認められるであろう。本発明の属する分野において知識のある人にとっては、それについての変形例が多数あることや、そのような変形例も明示されているかどうかにかかわらずここで説明および請求されている本発明の適用範囲内にあることは明らかである。例えば、詳細な説明では『ネットワーク』という用語を発明法（各ネットワーク内で実質的に均一であると仮定される）の文脈で厳密に用いたが、本発明はまた、ネットワークのサブネットや個々のセルを含むネットワークの副セクション間での選定を広範に含む。他の例として、本発明の実施例ではＧＳＭおよびＧＳＭ／ＧＰＲＳネットワークや音声およびデータ可能移動局に重点をおいたが、本発明はこのようなネットワークや移動局、サービスに限定されるものではないということを認めるべきである。本発明は、異なる範囲で利用可能な通信サービスについて移動局が有効な他のシステムについても適用可能である。最後に、移動局はその地理的網羅範囲内で利用可能な複数の通信ネットワークを特定することが多いが、作用する利用可能ネットワークとして１つだけを特定することもよくあり、これについての理解は請求項の解釈に制限を加えるものであってはならない。
【００８３】
上で説明した本発明の実施例は例として示しただけのものである。当業者であれば、本発明の適用範囲から離れることなく特定の実施例に対して改変、改造、変形を行うことができるものであり、本発明の適用範囲は以下に添付する請求項のみによって定義される。
【００８４】
本発明の実施例について、ここで添付図面の参照により、もしくは例示のみで説明するが、図面には以下のものがある。
【図面の簡単な説明】
【００８５】
【図１】図１は、広域ネットワーク相互接続を示すブロック図である。
【図２】図２は、セルラー移動局である移動式通信装置のブロック図である。
【図３】図３は、２つのＧＭＳ／ＧＰＲＳネットワークおよびそれらの間でローミングを行う移動局を示すブロック図である。
【図４】図４は、異なるタイプの複数通信ネットワークのある地域における移動局を示すブロック図である。
【図５】図５および６は、本適用例による優先ネットワークリストを作成する方法を記述するフロー図である。
【図６】図５および６は、本適用例による優先ネットワークリストを作成する方法を記述するフロー図である。
【図７】図７は、本適用例による再走査法を記述するフロー図である。
【図８】図８は、他の再走査法を記述するフロー図である。
【図９】図９は、本適用例による他のネットワーク選択法を記述するフロー図である。
【図１】
2006505158.tif 000003
【図３】
2006505158.tif 000004
【図４】
2006505158.tif 000005
【図５】
2006505158.tif 000006
【図６】
2006505158.tif 000007
【図７】
2006505158.tif 000008
【図８】
2006505158.tif 000009
【図９】
2006505158.tif 000010
【図２】
2006505158.tif 000011
【手続補正書】
【提出日】平成17年1月26日(2005.1.26)
【手続補正１】
【補正対象書類名】特許請求の範囲
【補正対象項目名】全文
【補正方法】変更
【補正の内容】
【特許請求の範囲】
【請求項１】
移動式通信装置１１５に１つ以上の通信装置を提供する通信ネットワークを選択する方法であって、この方法が：
地理的網羅エリアにおける音声通信サービスをサポートする１つ以上の通信ネットワーク２０５、２１０，２１５，２２０，２２５を特定するため、走査を行うステップと；
通信ネットワーク２０５，２１０，２１５，２２０，２２５を通してデータ通信サービスにアクセスするよう試みることで、どの通信ネットワーク２０５，２１０，２１５，２２０，２２５が、移動式通信装置１１５に対してデータ通信サービスを利用可能にするかを判定するステップと；
データ通信サービスを利用可能にできないネットワークに対してデータ通信サービスを利用可能にするネットワークの優先度を選択する、もしくは優先度を与えるステップと；
選択された、あるいは優先度を与えられた通信ネットワークとともに登録を行うステップと
を含む方法。
【請求項２】
請求項１に記載の方法であって、データ通信サービスが、電子メールサービスと、ショートメッセージサービスと、インターネットアクセスサービスとの内の少なくとも１つを含むことを特徴とする方法。
【請求項３】
請求項１に記載の方法であって、１つ以上の通信ネットワーク２０５，２１０，２１５，２２０，２２５が１つ以上のセルラー遠隔通信ネットワークを含むことを特徴とする方法。
【請求項４】
請求項３に記載の方法であって、１つ以上のセルラー遠隔通信ネットワーク２０５，２１０，２１５，２２０，２２５の動作が広域移動システム標準で調節されることを特徴とする方法。
【請求項５】
請求項３に記載の方法であって、試みに対して移動式通信装置１１５がデータ通信サービスにアクセスできない場合、データ通信サービスが利用不能であり、試みに対して移動式通信装置１１５がデータ通信サービスにアクセスできる場合、データ通信サービスが利用可能であることを特徴とする方法。
【請求項６】
請求項１に記載の方法であって、どの通信ネットワーク２０５，２１０，２１５，２２０，２２５がデータ通信サービスを利用可能にするかを判定するステップが、通信ネットワークを通してデータ通信サービスへのアクセスが認められる、あるいは不能にされることに基づくことを特徴とする方法。
【請求項７】
請求項１に記載の方法であって、通信ネットワークの優先度を選択する、もしくは優先度を与えるステップがさらに、データ通信サービスを利用可能にできないネットワークに対してデータ通信サービスを利用可能にするネットワークに優先度を与えることで、通信ネットワーク２０５，２１０，２１５，２２０，２２５の優先リストを作成するステップを含むことを特徴とする方法。
【請求項８】
移動式通信装置１１５であって、この装置が：
セルラー送受信機２１１と；
セルラー送受信機２１１に結合されたアンテナ２１６，２１８と；
セルラー送受信機２１１に結合された１つ以上のプロセッサ２３８と；
この１つ以上のプロセッサ２３８が、通信ネットワークを選択するよう構成され、この通信ネットワークが：
地理的網羅エリアにおける音声通信サービスをサポートする１つ以上の通信ネットワーク２０５、２１０，２１５，２２０，２２５を特定するため、走査を行うステップと；
通信ネットワーク２０５，２１０，２１５，２２０，２２５を通してデータ通信サービスにアクセスするよう試みることで、どの通信ネットワーク２０５，２１０，２１５，２２０，２２５が、移動式通信装置１１５に対してデータ通信サービスを利用可能にするかを判定するステップと；
データ通信サービスを利用可能にできないネットワークに対してデータ通信サービスを利用可能にするネットワークを選択する、もしくはこのネットワークに優先度を与えるステップと；
選択された、あるいは優先度を与えられた通信ネットワークとともに登録を行うステップとで通信を行うプロセッサと
を含む移動式通信装置。
【請求項９】
請求項８に記載の移動式通信装置１１５であって、データ通信サービスが、電子メールサービスと、ショートメッセージサービスと、インターネットアクセスサービスとの内の少なくとも１つを含むことを特徴とする移動式通信装置。
【請求項１０】
請求項８に記載の移動式通信装置１１５であって、セルラー送受信機の動作が移動用広域システムおよび汎用パケット無線サービスで調節されることを特徴とする移動式通信装置。
【請求項１１】
請求項８に記載の移動式通信装置１１５であって、どの通信ネットワーク２０５，２１０，２１５，２２０，２２５がデータ通信サービスを利用可能にするかが、通信ネットワークに対してデータ通信サービスへのアクセスを認められる、もしくは不能にされるかに基づくということを判定するよう、１つ以上のプロセッサ２３８がさらに構成されることを特徴とする移動式通信装置。
【請求項１２】
請求項８に記載の移動式通信装置１１５であって、通信ネットワークの優先度を選択する、もしくは優先度を与えるステップがさらに、データ通信サービスを利用可能にできないネットワークに対してデータ通信サービスを利用可能にするネットワークに優先度を与えることで、特定の通信ネットワークの優先リストを作成するステップを含むことを特徴とする移動式通信装置。
【請求項１３】
移動式通信装置１１５における通信ネットワークの優先リストを作成する方法であって、この方法が：
ある地理的地域における音声通信サービスをサポートする複数の通信ネットワーク２０５，２１０，２１５，２２０，２２５を特定するため、走査を行うステップと；
通信ネットワーク２０５，２１０，２１５，２２０，２２５を通してデータ通信サービスにアクセスするよう試みることをベースにして、移動式通信装置１１５に対してデータ通信サービスを利用可能にする１つ以上の通信ネットワーク２０５，２１０，２１５，２２０，２２５を特定するステップと；
データ通信サービスを利用可能にできない１つ以上の通信ネットワーク２０５，２１０，２１５，２２０，２２５よりも、データ通信サービスを利用可能にするよう特定された１つ以上の通信ネットワーク２０５，２１０，２１５，２２０，２２５に対して、優先リストで高優先度を指定するステップと
を含む方法。
【請求項１４】
請求項１３に記載の方法であって：
優先リストが複数の副リストを備え；
指定するステップがさらに、優先リストの高優先度の副リストにおいてデータ通信サービスを利用可能にするよう特定された１つ以上の通信ネットワーク２０５，２１０，２１５，２２０，２２５の識別情報を保存するステップを備えることを特徴とする方法。
【請求項１５】
請求項１３に記載の方法であって、この方法がさらに：
各通信ネットワークに対して：
通信ネットワークが禁止通信ネットワークであるかどうかを特定するステップを含むとともに；
指定するステップがさらに、通信ネットワークが禁止通信ネットワークでない場合、優先リストにおいて通信ネットワークに高優先度を指定するステップを含むことを特徴とする方法。
【請求項１６】
請求項１５に記載の方法であって、通信ネットワークが禁止通信ネットワークであるかどうかを特定するステップがさらに、通信ネットワークを禁止通信ネットワークリストのデータと比較するステップを含むことを特徴とする方法。
【請求項１７】
請求項１５に記載の方法であって、この方法がさらに：
通信ネットワークで通信不良が発生した場合、その通信ネットワークを禁止ネットワークリストに追加するステップを含む方法。
【請求項１８】
請求項１５に記載の方法であって、この方法がさらに：
通信ネットワークが優先リストにあるかどうかを特定するステップと；
通信ネットワークが禁止通信ネットワークである場合、優先リストの通信ネットワークに優先度を再指定するステップと
を含む方法。
【請求項１９】
請求項１８に記載の方法であって：
優先リストが複数の副リストを備え；
通信ネットワークに優先度を再設定するステップがさらに：
優先リストの１つの副リストから優先リストの他の副リストに通信ネットワークを移動させるステップと；
優先リストからこの通信ネットワークを除去するステップと；
この通信ネットワークを優先リストの別の副リストに追加するステップと
を含むことを特徴とする方法。
【請求項２０】
請求項１３に記載の方法であって、この方法がさらに：
各通信ネットワークに対して：
通信ネットワークが望ましい通信ネットワークであるかどうかを特定するステップと；
通信ネットワークが望ましい通信ネットワークであり、データ通信サービスを利用可能にする場合、データ通信サービスを利用可能にするが、望ましい通信ネットワークでない他の通信ネットワークよりも、前記通信ネットワークに対して、優先リストにおいて高優先度を指定するステップと
を含む方法。
【請求項２１】
請求項２０に記載の方法であって、通信ネットワークが望ましい通信ネットワークであるかどうかを特定するステップが、通信ネットワークを通信ネットワークリストのデータと比較するステップを含むことを特徴とする方法。
【請求項２２】
請求項２１に記載の方法であって、通信ネットワークリストが１つ以上の副リストを備え、この副リストが：
移動式通信装置１１５の利用者と；
移動式通信装置１１５の製造者と；
通信ネットワークの操作者と
の内の１つ以上で成り立っていることを特徴とする方法。
【請求項２３】
請求項２２に記載の方法であって、望ましいリストが、利用者で規定される副リストと、製造者で規定される副リストと、通信ネットワークの操作者で規定される副リストとを含む複数の副リストを備えるとともに、この方法がさらに：
各通信ネットワークに対して：
通信ネットワークが望ましい通信ネットワークであることを判定するステップがさらに、その通信ネットワークが、通信ネットワークリストのどの副リストにリストアップされているかを判定するステップを備えるとともに；
指定するステップがさらに、通信ネットワークが、利用者により規定された副リスト上にある場合、この通信ネットワークに対して、他の通信ネットワークよりも優先リストで高優先度を指定するステップを含むことを特徴とする方法。
【請求項２４】
請求項１３に記載の方法であって、この方法がさらに：
各通信ネットワークに対して：
通信ネットワークがデータ通信サービスをサポートする場合：
通信ネットワークが既知であるかどうかを判定するステップと；
通信ネットワークが既知である場合：この既知の通信ネットワークに対して、任意の未知の通信ネットワークよりも優先リストで高優先度を指定するステップと
を含む方法。
【請求項２５】
請求項２４に記載の方法であって、この方法がさらに：
通信ネットワークが既知であるかどうかを判定するステップがさらに、通信ネットワークを通信ネットワークのリストのデータと比較するステップを含むことを特徴とする方法。
【請求項２６】
請求項２４に記載の方法であって、優先リストが複数の副リストを備え、通信ネットワークに優先度を指定するステップがさらに：
未知の通信ネットワークの副リストよりも、既知の通信ネットワークを既知の通信ネットワークの高優先度副リストにおくステップを含むことを特徴とする方法。
【請求項２７】
請求項２４に記載の方法であって、優先リストが複数の副リストを備え、この方法がさらに：
通信ネットワークが未知であり、データ通信サービスを利用可能にしない場合：
データ通信サービスを利用可能にする未知の通信ネットワークの副リスト下にある既知の音声可能通信ネットワークを含む低優先度副リストに通信ネットワークをおくことで、この通信ネットワークに対して優先リストで低優先度を指定するステップを含む方法。
【請求項２８】
請求項１３に記載の方法であって、通信ネットワークがＧＳＭ／ＧＰＲＳ通信ネットワークとＧＳＭ通信ネットワークとを備え、ここでＧＳＭ通信ネットワークがデータ通信サービスをサポートしないことを特徴とする方法。
【請求項２９】
請求項１３に記載の方法であって、移動式通信装置１１５が次のグループから選択された少なくとも１つを備え、このグループが：ＧＰＲＳ性能をもつセルラー移動式ステーションと、無線有効携帯型情報端末と、無線インターネット装置と、電話性能をもつデータ通信装置と、携帯型Ｅメールページャと、無線モデムとで構成されることを特徴とする方法。
【請求項３０】
請求項２４に記載の方法であって、優先順位を低下させるにあたって、利用者希望公有地移動式ネットワークリスと、操作者希望公有地移動式ネットワークリストと、未知の音声／データリストと、未知の音声のみリストとを含む４つの副リストを優先リストが備えることを特徴とする方法。
【請求項３１】
請求項１６に記載の方法であって、禁止通信ネットワークリストが禁止公衆陸上移動ネットワークリストを備えることを特徴とする方法。
【請求項３２】
請求項２４に記載の方法であって、比較のために用いられる通信ネットワークリストが、利用者希望公衆陸上移動ネットワークリストと、操作者希望公衆陸上移動ネットワークリストとを備えることを特徴とする方法。
【請求項３３】
移動式通信装置１１５に対する通信ネットワークの優先リストを作成するための方法であって、この方法が：
ある地理的地域における音声通信サービスをサポートする１つ以上の通信ネットワークを特定するため、走査を行うステップと；
特定された各通信ネットワークに対して：
通信ネットワークが移動式通信装置の既知の通信ネットワークであるかどうかを判定するステップと；
通信ネットワークを通してデータ通信サービスにアクセスするよう試みることに基づき、通信ネットワークが、移動式通信装置１１５に対してデータ通信サービスを利用可能にするどうかを判定するステップと；
通信ネットワークが既知の通信ネットワークであり、移動式通信装置１１５に対してデータ通信サービスを利用可能にする場合、その通信ネットワークに対して、未知の通信ネットワークである通信ネットワークよりも優先リストにおいて高優先度を指定するステップと
を含む方法。
【請求項３４】
請求項３３に記載の方法であって：
通信ネットワークが既知であるかどうかを判定するステップが、通信ネットワークを通信ネットワークのリストのデータと比較するステップを含むことを特徴とする方法。
【請求項３５】
請求項３３に記載の方法であって：
移動式通信装置１１５の利用者と、通信ネットワークの操作者と、移動式通信装置１１５の製造者とで規定される１つ以上の副リストを含む複数の副リスト優先リストが備え；
優先リストにおいて通信ネットワークに高優先度を指定するステップが、その通信ネットワークを優先リストの高優先度副リストにおくステップを含むことを特徴とする方法。
【請求項３６】
請求項３３に記載の方法であって、この方法がさらに：
試みに対して移動式通信装置１１５がデータ通信サービスにアクセスできない場合、データ通信サービスが利用不能であるとともに；
試みに対して移動式通信装置１１５がデータ通信サービスにアクセスできる場合、データ通信サービスが利用可能であることを特徴とする方法。
【請求項３７】
請求項３６に記載の方法であって：
優先リストが複数の副リストを備え；
データ通信サービスを利用可能にする既知の通信ネットワークに高優先度を指定するステップがさらに、そのネットワークを優先リストの高優先度副リストにおくステップを含むことを特徴とする方法。
【請求項３８】
移動式通信装置１１５により通信ネットワークを選択する方法であって、この方法が：
ネットワーク再走査タイマの失効を待つステップと；
ネットワーク再走査タイマの失効後に；
移動式通信装置１１５の地理的網羅エリアにおける音声通信サービスをサポートする１つ以上の通信ネットワーク２０５、２１０，２１５，２２０，２２５を特定するため、走査を行うステップと；
通信ネットワーク２０５，２１０，２１５，２２０，２２５を通してデータ通信サービスにアクセスするよう試みることで、いずれかの通信ネットワーク２０５，２１０，２１５，２２０，２２５が、移動式通信装置１１５に対してデータ通信サービスを利用可能にするかどうかを判定するステップと；
データ通信サービスを利用可能にできないネットワークを判定し、そのネットワークよりも優先度を指定することで特定されるよう、通信ネットワークが、移動式通信装置１１５に対してデータ通信サービスを利用可能にする場合；
さらに、移動式通信装置１１５に対してデータ通信サービスを利用可能にする通信ネットワークがない場合、ネットワーク再走査タイマを再設定するステップと
を含む方法。
【国際調査報告】
2006505158.tif 000012
2006505158.tif 000013
2006505158.tif 000014
2006505158.tif 000015
2006505158.tif 000016